(57)【要約】  本発明の実施形態は、無線通信システム（ＲＡＮ）において移動局（ＭＳ）を動作させるための方法に関する。本方法は、移動局（ＭＳ）のサービング基地局（ＢＳ２）の少なくとも１つの隣接する基地局（ＢＳ１）により第１の方向に向かって方向づけられている第１の放射線ビーム（ＢＭ１−ＢＳ１）を経由した第１の基準信号の送信のための第１の無線リソース情報と、少なくとも１つの隣接する基地局（ＢＳ１）により少なくとも１つの第２の方向に向かって方向づけられている少なくとも１つの第２の放射線ビーム（ＢＭ２−ＢＳ１、．．．、ＢＭ５−ＢＳ１）を経由した少なくとも第２の基準信号の送信のための少なくとも第２の無線リソース情報と、を受信するステップを含んでいる。本方法は、第１の無線リソース情報に基づいて、第１の基準信号を受信するステップと、少なくとも第２の無線リソース情報に基づいて、少なくとも第２の基準信号を受信するステップと、受信された第１の基準信号に基づいた第１の放射線ビーム（ＢＭ１−ＢＳ１）の第１の品質情報と、受信された少なくとも第２の基準信号に基づいた少なくとも第２の放射線ビーム（ＢＭ２−ＢＳ１、．．．、ＢＭ５−ＢＳ１）の少なくとも第２の品質情報とを決定するステップと、サービング基地局（ＢＳ２）に対して第１の品質情報と、少なくとも第２の品質情報とのうちの少なくとも一方を送信するステップとをさらに含む。実施形態は、さらに、無線通信システム（ＲＡＮ）において基地局（ＢＳ２）を動作させるための方法と、無線通信システム（ＲＡＮ）におけるオペレーションのための移動局（ＭＳ）と、無線通信システム（ＲＡＮ）におけるオペレーションのための基地局（ＢＳ２）とに関する。
2017511067.tif 000002
【特許請求の範囲】
【請求項１】
無線通信システム（ＲＡＮ）において移動局（ＭＳ）を動作させるための方法（ＭＥＴ−ＭＳ）であって、
−前記移動局（ＭＳ）のサービング基地局（ＢＳ２）から、前記サービング基地局（ＢＳ２）の少なくとも１つの隣接する基地局（ＢＳ１）により第１の方向に向かって方向づけられており、また第１の仰角（ＥＬＡ１）に関して位置合わせされている第１の放射線ビーム（ＢＭ１−ＢＳ１）を経由したアンテナ・アレイ（ＡＡ１）による第１の基準信号の送信のための第１の無線リソース情報と、前記少なくとも１つの隣接する基地局（ＢＳ１）により少なくとも１つの第２の方向に方向づけられる、また前記第１の仰角とは異なる第２の仰角（ＥＬＡ２）に関して位置合わせされている少なくとも１つの第２の放射線ビーム（ＢＭ２−ＢＳ１、．．．、ＢＭ５−ＢＳ１）を経由した前記アンテナ・アレイ（ＡＡ１）による少なくとも第２の基準信号の送信のための少なくとも１つの第２の無線リソース情報とを受信するステップ（Ｓ１−ＭＳ）と、
−前記第１の無線リソース情報に基づいて、前記第１の基準信号を受信するステップ（Ｓ２−ＭＳ）と、
−前記少なくとも１つの第２の無線リソース情報に基づいて、前記少なくとも第２の基準信号を受信するステップ（Ｓ３−ＭＳ）と、
−前記受信された第１の基準信号に基づいた前記第１の放射線ビーム（ＢＭ１−ＢＳ１）の第１の品質情報と、前記受信された少なくとも第２の基準信号に基づいた前記少なくとも第２の放射線ビーム（ＢＭ２−ＢＳ１、．．．、ＢＭ５−ＢＳ１）の少なくとも第２の品質情報とを決定するステップ（Ｓ４−ＭＳ）と、
−前記サービング基地局（ＢＳ２）に対して、前記第１の品質情報と、前記少なくとも第２の品質情報とのうちの少なくとも一方を送信するステップ（Ｓ５−ＭＳ）と
を含む方法（ＭＥＴ−ＭＳ）。
【請求項２】
前記第１の品質情報と、前記少なくとも第２の品質情報とのうちの前記少なくとも一方は、以下のうちの、すなわち、
−最高の品質を提供する、前記第１の放射線ビーム（ＢＭ１−ＢＳ１）と、前記少なくとも第２の放射線ビーム（ＢＭ２−ＢＳ１、．．．、ＢＭ５−ＢＳ１）とのうちの１つの品質情報、
−前記第１の放射線ビーム（ＢＭ１−ＢＳ１）と、前記少なくとも第２の放射線ビーム（ＢＭ２−ＢＳ１、．．．、ＢＭ５−ＢＳ１）とのうちの少なくとも２つの品質情報、
−前記第１の放射線ビーム（ＢＭ１−ＢＳ１）と、前記少なくとも第２の放射線ビーム（ＢＭ２−ＢＳ１、．．．、ＢＭ５−ＢＳ１）とのうちのすべての品質情報、
のうちのいずれかを含む、請求項１に記載の方法（ＭＥＴ−ＭＳ）。
【請求項３】
前記第１の基準信号の前記受信するステップ（Ｓ２−ＭＳ）と、前記少なくとも第２の基準信号の前記受信するステップ（Ｓ３−ＭＳ）とは、
−少なくとも２つの時間リソース、
−少なくとも２つの周波数リソース、
−少なくとも２つのコード・リソース、
−時間リソースと周波数リソースとの少なくとも２つの異なる組、
のうちのいずれかにより、前記第１の基準信号と、前記少なくとも第２の基準信号とを受信するステップを含む、請求項１乃至２のいずれか１項に記載の方法（ＭＥＴ−ＭＳ）。
【請求項４】
無線通信システム（ＲＡＮ）において基地局（ＢＳ２）を動作させるための方法（ＭＥＴ−ＢＳ２）であって、
−前記基地局（ＢＳ２）によってサービスされている移動局（ＭＳ）に対して、前記基地局（ＢＳ２）の少なくとも１つの隣接する基地局（ＢＳ１）により第１の方向に向かって方向づけられており、また第１の仰角に関して位置合わせされている第１の放射線ビーム（ＢＭ１−ＢＳ１）を経由したアンテナ・アレイ（ＡＡ１）による第１の基準信号の送信のための第１の無線リソース情報と、前記少なくとも１つの隣接する基地局（ＢＳ１）により少なくとも１つの第２の方向に対して方向づけられており、また前記第１の仰角と異なる第２の仰角に関して位置合わせされている少なくとも１つの第２の放射線ビーム（ＢＭ２−ＢＳ１、．．．、ＢＭ５−ＢＳ１）を経由した前記アンテナ・アレイ（ＡＡ１）による少なくとも第２の基準信号の送信のための少なくとも１つの第２の無線リソース情報とを送信するステップ（Ｓ３−ＢＳ２）と、
−前記移動局（ＭＳ）から、前記第１の放射線ビーム（ＢＭ１−ＢＳ１）の第１の品質情報と、前記少なくとも１つの第２の放射線ビーム（ＢＭ２−ＢＳ１、．．．、ＢＭ５−ＢＳ１）の少なくとも第２の品質情報とのうちの少なくとも一方を受信するステップ（Ｓ４−ＢＳ２）と、
−前記第１の品質情報と、前記少なくとも第２の品質情報とのうちの前記少なくとも一方に基づいて、前記基地局（ＢＳ２）による前記移動局（ＭＳ）のさらなるスケジューリングが、より適しているか、または前記少なくとも１つの隣接する基地局（ＢＳ１）に対する前記移動局（ＭＳ）のハンドオーバが、より適しているかを決定するステップ（Ｓ５−ＢＳ２）と
を含む方法（ＭＥＴ−ＢＳ２）。
【請求項５】
前記第１の無線リソース情報は、前記第１の基準信号を送信するための、少なくとも１つの第１の時間リソース、少なくとも１つの第１の周波数リソース、または少なくとも１つの第１の時間リソースと少なくとも１つの第１の周波数リソースとの第１の組についての少なくとも１つの第１の表示を含んでおり、また前記少なくとも１つの第２の無線リソース情報は、前記少なくとも第２の基準信号を送信するための、少なくとも１つの第２の時間リソース、少なくとも１つの第２の周波数リソース、または少なくとも１つの第２の時間リソースと少なくとも１つの第２の周波数リソースとの少なくとも１つの第２の組についての少なくとも１つの第２の表示を含んでいる、請求項４に記載の方法（ＭＥＴ−ＢＳ２）。
【請求項６】
前記少なくとも１つの隣接する基地局（ＢＳ１）による、前記第１の放射線ビーム（ＢＭ１−ＢＳ１）、または前記少なくとも１つの第２の放射線ビーム（ＢＭ２−ＢＳ１、．．．、ＢＭ５−ＢＳ１）の使用が、所定の判断基準を満たすときに、また前記移動局（ＭＳ）が、前記第１の放射線ビーム（ＢＭ１−ＢＳ１）、または前記少なくとも１つの第２の放射線ビーム（ＢＭ２−ＢＳ１、．．．、ＢＭ５−ＢＳ１）のカバレッジの中にあるときに、前記方法（ＭＥＴ−ＢＳ２）は、少なくとも１つのタイム・スロットにおける前記第１の品質情報と、前記少なくとも第２の品質情報とのうちの前記少なくとも一方に基づいて、アップリンク・データおよび／またはダウンリンク・データについて前記移動局（ＭＳ）をスケジュールするステップ（Ｓ８−ＢＳ２）をさらに含む、請求項４乃至６のいずれか１項に記載の方法（ＭＥＴ−ＢＳ２）。
【請求項７】
−前記少なくとも１つの隣接する基地局（ＢＳ１）に対して前記移動局（ＭＳ）のハンドオーバを要求するためのハンドオーバ要求メッセージを前記少なくとも１つの隣接する基地局（ＢＳ１）に対して、送信するステップ（Ｓ９−ＢＳ２）と、
−前記要求されたハンドオーバについてのハンドオーバ拒絶メッセージを受信するステップ（Ｓ１０−ＢＳ２）と、
−前記少なくとも１つの隣接する基地局（ＢＳ１）による、前記第１の放射線ビーム（ＢＭ１−ＢＳ１）、または前記少なくとも１つの第２の放射線ビーム（ＢＭ２−ＢＳ１、．．．、ＢＭ５−ＢＳ１）の前記使用が、前記所定の判断基準を満たし、また前記移動局（ＭＳ）についてのさらなるハンドオーバ決定が、待ち状態にあるときに、前記少なくとも１つのタイム・スロットにおける前記第１の品質情報と、前記少なくとも第２の品質情報との前記少なくとも一方に基づいて、前記アップリンク・データおよび／または前記ダウンリンク・データについて前記移動局（ＭＳ）をスケジュールし続けるステップ（Ｓ１１−ＢＳ２）と
をさらに含む、請求項６に記載の方法（ＭＥＴ−ＢＳ２）。
【請求項８】
前記所定の判断基準は、前記移動局（ＭＳ）のロケーションにおける最大の干渉を有する、前記第１の放射線ビーム（ＢＭ１−ＢＳ１）と、前記少なくとも１つの第２の放射線ビーム（ＢＭ２−ＢＳ１、．．．、ＢＭ５−ＢＳ１）とのうちの１つが、現在使用されないという、前記基地局（ＢＳ２）の情報の使用可能性である、請求項６または７に記載の方法（ＭＥＴ−ＢＳ２）。
【請求項９】
前記第１の無線リソース情報は、前記第１の基準信号の送信のために適用されている少なくとも１つの第１のコード・リソースについての少なくとも１つの第１の表示を含んでおり、また前記少なくとも１つの第２の無線リソース情報は、前記少なくとも第２の基準信号の送信のために適用されている少なくとも１つの第２のコード・リソースについての少なくとも１つの第２の表示を含んでいる、請求項４乃至８のいずれか１項に記載の方法（ＭＥＴ−ＢＳ２）。
【請求項１０】
前記第１の無線リソース情報は、さらに、前記第１の放射線ビーム（ＢＭ１−ＢＳ１）を示しており、また前記少なくとも１つの第２の無線リソース情報は、さらに、前記少なくとも１つの第２の放射線ビーム（ＢＭ２−ＢＳ１、．．．、ＢＭ５−ＢＳ１）を示している、請求項９に記載の方法（ＭＥＴ−ＢＳ２）。
【請求項１１】
−前記少なくとも１つの隣接する基地局（ＢＳ１）に、または中央データベース（ＣＤＢ）に、前記第１の無線リソース情報と、前記少なくとも１つの第２の無線リソース情報とを要求するステップ（Ｓ１−ＢＳ２）と、
−前記基地局（ＢＳ２）のローカル・データベース（ＬＤＢ−ＢＳ２）に前記第１の無線リソース情報と、前記少なくとも１つの第２の無線リソース情報とを記憶するステップ（Ｓ２−ＢＳ２）と
のうちの少なくとも一方をさらに含む、請求項４乃至１０のいずれか１項に記載の方法（ＭＥＴ−ＢＳ２）。
【請求項１２】
−前記基地局（ＢＳ２）から少なくとも１つの隣接する基地局（ＢＳ１）に対して、前記少なくとも１つの隣接する基地局（ＢＳ１）により、前記第１の放射線ビーム（ＢＭ１−ＢＳ１）と、前記少なくとも１つの第２の放射線ビーム（ＢＭ２−ＢＳ１、．．．、ＢＭ５−ＢＳ１）との使用についての情報についての要求を送信するステップ（Ｓ６−ＢＳ２）と、
−前記基地局（ＢＳ２）において、前記少なくとも１つの隣接する基地局（ＢＳ１）から、前記情報を有する応答を受信するステップ（Ｓ７−ＢＳ２）と
をさらに含む、請求項４に記載の方法（ＭＥＴ−ＢＳ２）。
【請求項１３】
前記使用情報は、前記第１の放射線ビーム（ＢＭ１−ＢＳ１）を経由した、および／または前記少なくとも１つの第２の放射線ビーム（ＢＭ２−ＢＳ１、．．．、ＢＭ５−ＢＳ１）を経由した、前記少なくとも１つの隣接する基地局（ＢＳ１）におけるさらなる移動局のスケジューリングについての情報を含んでいる、請求項１２に記載の方法（ＭＥＴ−ＢＳ２）。
【請求項１４】
無線通信システム（ＲＡＮ）におけるオペレーションのための移動局（ＭＳ）であって、
−前記移動局（ＭＳ）のサービング基地局（ＢＳ２）から、前記サービング基地局（ＢＳ２）の少なくとも１つの隣接する基地局（ＢＳ１）により第１の方向に向かって方向づけられており、また第１の仰角（ＥＬＡ１）に関して位置合わせされている第１の放射線ビーム（ＢＭ１−ＢＳ１）を経由したアンテナ・アレイ（ＡＡ１）による第１の基準信号の送信のための第１の無線リソース情報と、前記少なくとも１つの隣接する基地局（ＢＳ１）により少なくとも１つの第２の方向に向かって方向づけられており、また前記第１の仰角と異なる第２の仰角（ＥＬＡ２）に関して位置合わせされている少なくとも１つの第２の放射線ビーム（ＢＭ２−ＢＳ１、．．．、ＢＭ５−ＢＳ１）を経由した前記アンテナ・アレイ（ＡＡ１）による少なくとも第２の基準信号の送信のための少なくとも第２の無線リソース情報とを受信するための、前記第１の無線リソース情報に基づいて、前記第１の基準信号を受信するための、また前記少なくとも第２の無線リソース情報に基づいて、前記少なくとも第２の基準信号を受信するための手段（ＲＣ−ＭＳ、ＡＮＴ−ＳＹＳ−ＭＳ）と、
−前記受信された第１の基準信号に基づいた前記第１の放射線ビーム（ＢＭ１−ＢＳ１）の第１の品質情報と、前記受信された少なくとも第２の基準信号に基づいた前記少なくとも第２の放射線ビーム（ＢＭ２−ＢＳ１、．．．、ＢＭ５−ＢＳ１）の少なくとも第２の品質情報とを決定するための手段（ＰＵ−ＭＳ、ＰＲＯＧ−ＭＳ）と、
−前記サービング基地局（ＢＳ２）に対して、前記第１の品質情報と、前記少なくとも第２の品質情報とのうちの少なくとも一方を送信するための手段（ＴＲ−ＭＳ、ＡＮＴ−ＳＹＳ−ＭＳ）と
を備えている移動局（ＭＳ）。
【請求項１５】
無線通信システム（ＲＡＮ）におけるオペレーションのための基地局（ＢＳ２）であって、
−前記基地局（ＢＳ２）によってサービスされている移動局（ＭＳ）に対して、前記基地局（ＢＳ２）の少なくとも１つの隣接する基地局（ＢＳ１）により第１の方向に向かって方向づけられており、また第１の仰角に関して位置合わせされている第１の放射線ビーム（ＢＭ１−ＢＳ１）を経由したアンテナ・アレイ（ＡＡ１）による第１の基準信号の送信のための第１の無線リソース情報と、前記少なくとも１つの隣接する基地局（ＢＳ１）により少なくとも１つの第２の方向に対して方向づけられており、また前記第１の仰角と異なる第２の仰角に関して位置合わせされている少なくとも１つの第２の放射線ビーム（ＢＭ２−ＢＳ１、．．．、ＢＭ５−ＢＳ１）を経由した前記アンテナ・アレイ（ＡＡ１）による少なくとも第２の基準信号の送信のための少なくとも第２の無線リソース情報とを送信するための手段（ＴＲ１−ＢＳ２、ＡＮＴ−ＳＹＳ−ＢＳ２）と、
−前記移動局（ＭＳ）から、前記第１の放射線ビーム（ＢＭ１−ＢＳ１）の第１の品質情報と、前記少なくとも１つの第２の放射線ビーム（ＢＭ２−ＢＳ１、．．．、ＢＭ５−ＢＳ１）の少なくとも第２の品質情報とのうちの少なくとも一方を受信するための手段（ＲＣ１−ＢＳ２、ＡＮＴ−ＳＹＳ−ＢＳ２）と、
−前記第１の品質情報と、前記少なくとも第２の品質情報とのうちの前記少なくとも一方に基づいて、前記基地局（ＢＳ２）による前記移動局（ＭＳ）のさらなるスケジューリングが、より適しているか、または前記少なくとも１つの隣接する基地局（ＢＳ１）に対する前記移動局（ＭＳ）のハンドオーバが、より適しているかを決定するための手段（ＰＵ−ＢＳ２、ＰＲＯＧ−ＢＳ２）と
を備えている基地局（ＢＳ２）。
【発明の詳細な説明】
【技術分野】
【０００１】
本発明は、無線通信システムにおけるハンドオーバまたはセルの再関連付けに関し、またより詳細には、それだけには限定されないが、少なくとも２つの垂直の放射線ビームを使用した基地局に対する移動局のハンドオーバまたはセルの再関連付けに関する。
【背景技術】
【０００２】
本節は、本発明についてのよりよい理解を容易にする際に助けとなり得る態様を導入するものである。したがって、本節の陳述は、この観点から読まれるべきであり、また何が先行技術の中にあるかについての承認として理解されるべきではない。
【０００３】
将来の無線通信ネットワークは、いくつかのいわゆる水平方向に対して送信するが、ただ１つのいわゆる垂直方向に対して放射線ビームを送信するように適合されている従来の第１の基地局と、いくつかの水平方向に対していわゆる水平の放射線ビームを送信するように適合されており、またさらにいくつかの垂直方向に対していわゆる垂直の放射線ビームを送信するように適合されている、さらなるより高機能の第２の基地局との混合物を有することができる。水平方向は、以下において、ある方向のことを意味しており、この方向は、アンテナ・システムの放射表面の表面法線と、水平ビームのビーム方向との間の方位角（ａｚｉｍｕｔｈ  ａｎｇｌｅ）によって規定されることもある。垂直方向は、以下において、ある方向のことを意味しており、この方向は、アンテナ・システムの放射表面の表面法線と、垂直ビームのビーム方向との間の仰角（ｅｌｅｖａｔｉｏｎ  ａｎｇｌｅ）によって規定される。
【０００４】
そのような第２の基地局が、時分割共通パイロットを送信するときに、第２の基地局のカバレッジ・エリアの中に到着する移動局は、ある種の期間にわたって異なるパイロットを測定することにより、集約された垂直の放射線ビームだけを観察することになり、またいくつかの垂直の放射線ビームについては知らないであろう。したがって、移動局、または移動局に現在サービスしている基地局は、ハンドオーバのために、さらなる第２の基地局のターゲット無線セルを選択することができるが、第２の基地局のいくつかの垂直の放射線ビームのうちの１つは、移動局を直接に指し示している。さらに、サービング基地局は、それ自体のサービング無線セルの中の様々なロケーションにおけるいくつかの垂直の放射線ビームによって引き起こされる干渉の影響を知らない可能性がある。
【０００５】
現在の３ＧＰＰ規格（３ＧＰＰ＝第３世代パートナーシップ・プロジェクト（３ｒｄ  Ｇｅｎｅｒａｔｉｏｎ  Ｐａｒｔｎｅｒｓｈｉｐ  Ｐｒｏｊｅｃｔ））においては、第１の測定エリアおよび第２の測定エリアを有する２つの放射線ビームだけが、ｅＩＣＩＣ（ｅＩＣＩＣ＝進化型セル間干渉協調（ｅｎｈａｎｃｅｄ  Ｉｎｔｅｒ  Ｃｅｌｌ  Ｉｎｔｅｒｆｅｒｅｎｃｅ  Ｃｏｏｒｄｉｎａｔｉｏｎ））のために元々導入されているタイム・ドメインのＲＳおよびＣＱＩの測定値（ＲＳ＝参照シンボル（Ｒｅｆｅｒｅｎｃｄｅ  Ｓｙｍｂｏｌ））、ＣＱＩ＝チャネル品質識別子（Ｃｈａｎｎｅｌ  Ｑｕａｌｉｔｙ  Ｉｄｅｎｔｉｆｉｅｒ））に基づいて、サポートされる可能性がある。いわゆるＡＢＳ（ＡＢＳ＝オールモースト・ブランク・サブフレーム（Ａｌｍｏｓｔ  Ｂｌａｎｋ  Ｓｕｂｆｒａｍｅ））と、いわゆる非−ＡＢＳとのための２つの測定エリアを使用する代わりに、２つの測定エリアは、上位ビームと、下位ビームとのために使用されることもある。しかしながら、現在の３ＧＰＰ規格においては、そのような２つの測定エリアは、現在のサービング・セルの内側のＣＱＩ測定のためにサポートされるだけであり、またターゲット・セルに対するハンドオーバのためにはサポートされない。さらに、２つ以下の放射線ビームが、そのような技術的考慮によってサポートされる可能性がある。
【０００６】
ターゲット基地局において２つより多い垂直の放射線ビームを有する場合における最良の既存の問題解決手法は、最適でないハンドオーバ決定と、最適でない無線セル選択と、セル関連付けとをもたらす可能性があるすべての垂直の放射線ビームの上の平均の信号強度を測定することであろう。別の問題解決手法は、別個の無線セルとしてあらゆる垂直の放射線ビームを規定することであろう。しかしながら、時間のかかるハンドオーバが、最適のビームを使用するために必要とされることになり、また放射線ビームの間の高速なスイッチングが、可能でなくなるので、これは、多数のハンドオーバをもたらし、また最適でないスループット性能をもたらすであろう。
【０００７】
米国特許出願第２００９／０２６４１１８  Ａ１号は、ユーザ端末と、セクタ化された、または無指向性の無線セルを規定する基地局とを備えている無線通信ネットワークの中で隣接リストを生成する方法を開示している。その方法は、ユーザ端末のうちの少なくともいくつかから無線チャネル測定値を受信するステップと、ユーザ端末の少なくともいくつかについて、異なる無線セルに関連して、対応する無線チャネル測定値を含む第１のテーブルを作り出すステップと、セルの異なる対の間の結合数字を含むセル結合行列を生成するために第１のテーブルを処理するステップと、ある種のセルについて、与えられたしきい値よりも大きい結合数字を有する隣接セルを含む隣接リストを取得するステップとを含む。
【先行技術文献】
【特許文献】
【０００８】
【特許文献１】米国特許出願第２００９／０２６４１１８  Ａ１号
【非特許文献】
【０００９】
【非特許文献１】３ＧＰＰ  ３６．３３１無線通信規格
【発明の概要】
【発明が解決しようとする課題】
【００１０】
したがって、本発明の実施形態の一目的は、無線通信システムにおいて、またとりわけいくつかの垂直の放射線ビームによってサービスされている無線セルと、ただ１つの垂直の放射線ビームによってサービスされているさらなる無線セルとの混合物から構成されるこれらの無線津新システムにおいて、改善されたハンドオーバ、またはセルの再関連付けを提供することである。本発明の実施形態のさらなる一目的は、第２の無線セルにサービスする基地局による移動局のスケジューリングを改善するために、隣接する第２の無線セルのカバレッジ・エリアの内部の第１の無線セルの様々な垂直の放射線ビームの干渉の影響を低下させることである。
【課題を解決するための手段】
【００１１】
本目的は、無線通信システムにおいて移動局を動作させるための方法によって達成される。本方法は、移動局のサービング基地局から、アンテナ・アレイによって第１の方向に向かって方向づけられており、またサービング基地局の少なくとも１つの隣接する基地局により第１の仰角に関して位置合わせされている第１の放射線ビームを経由した第１の基準信号の送信のための第１の無線リソース情報と、少なくとも１つの隣接する基地局により少なくとも１つの第２の方向に向かって方向づけられており、また第１の仰角と異なる第２の仰角に関して位置合わせされている少なくとも１つの第２の放射線ビームを経由したアンテナ・アレイによる少なくとも第２の基準信号の送信のための少なくとも第２の無線リソース情報とを受信するステップを含んでいる。本方法は、第１の無線リソース情報に基づいて、第１の基準信号を受信するステップと、少なくとも第２の無線リソース情報に基づいて、少なくとも第２の基準信号を受信するステップとをさらに含む。本方法は、受信された第１の基準信号に基づいた第１の放射線ビームの第１の品質情報と、受信された少なくとも第２の基準信号に基づいた少なくとも第２の放射線ビームの少なくとも第２の品質情報とを決定するステップと、サービング基地局に対して、第１の品質情報と、少なくとも第２の品質情報とのうちの少なくとも一方を送信するステップとをさらに含みさえもする。サービング基地局は、ここでは、少なくとも１つの隣接する基地局に対して、移動局のハンドオーバが、実行され得る前の先行するサービング基地局のことを意味しており、この少なくとも１つの隣接する基地局は、ハンドオーバの後には、移動局のための次に続くサービング基地局である。
【００１２】
本目的は、さらに、無線通信システムにおいて基地局を動作させるための方法によって達成される。本方法は、基地局によってサービスされている移動局に対して、基地局の少なくとも１つの隣接する基地局によって第１の方向に向かって方向づけられており、また第１の仰角に関して位置合わせされている第１の放射線ビームを経由したアンテナ・アレイによる第１の基準信号の送信のための第１の無線リソース情報と、少なくとも１つの隣接する基地局により少なくとも１つ第２の方向に向かって方向づけられており、また第１の仰角と異なる第２の仰角に関して位置合わせされている少なくとも１つの第２の放射線ビームを経由したアンテナ・アレイによる少なくとも第２の基準信号の送信のための少なくとも第２の無線リソース情報とを送信するステップを含んでいる。本方法は、移動局から、第１の放射線ビームの第１の品質情報と、少なくとも１つの第２の放射線ビームの少なくとも第２の品質情報とのうちの少なくとも一方を受信するステップをさらに含んでいる。本方法は、第１の品質情報と、少なくとも第２の品質情報とのうちの少なくとも一方に基づいて、基地局による移動局のさらなるスケジューリングが、より適しているか、または少なくとも１つの隣接する基地局に対する移動局のハンドオーバが、より適しているかを決定するステップをさらに含みさえもする。
【００１３】
本目的は、さらに、無線通信システムにおいてオペレーションのための移動局によって達成されることさえもある。移動局は、サービング基地局の少なくとも１つの隣接する基地局により第１の方向に向かって方向づけられており、また第１の仰角に関して位置合わせされている第１の放射線ビームを経由したアンテナ・アレイによる第１の基準信号の送信のための第１の無線リソース情報と、少なくとも１つの隣接する基地局により少なくとも１つの第２の方向に向かって方向づけられており、また第１の仰角と異なる第２の仰角に関して位置合わせされている少なくとも１つの第２の放射線ビームを経由したアンテナ・アレイによる少なくとも第２の基準信号の送信のための少なくとも第２の無線リソース情報とを受信するための、また第１の無線リソース情報に基づいて、第１の基準信号を受信するための、また少なくとも第２の無線リソース情報に基づいて、少なくとも第２の基準信号を受信するための手段を含んでいる。移動局は、受信された第１の基準信号に基づいた第１の放射線ビームの第１の品質情報と、受信された少なくとも第２の基準信号に基づいた少なくとも第２の放射線ビームの少なくとも第２の品質情報とを決定するための手段をさらに含みさえもする。移動局は、サービング基地局に対して、第１の品質情報と、少なくとも第２の品質情報とのうちの少なくとも一方を送信するための手段をさらに含みさえもする。
【００１４】
実施形態においては、受信するための手段は、任意のレシーバ、トランシーバ、レシーバ・ユニット、トランシーバ・モジュールなどに対応している可能性がある。それゆえに、実施形態においては、受信するための手段は、第１の無線リソース情報で、少なくとも第２の無線リソース情報で、第１の基準信号で、および／または少なくとも第２の基準信号で変調される、無線周波数信号などの受信信号のための入力と、受信信号のための前置増幅器と、受信信号から、第１の無線リソース情報、少なくとも第２の無線リソース情報、第１の基準信号および／または少なくとも第２の基準信号を抽出するアルゴリズムと、第１の無線リソース情報、少なくとも第２の無線リソース情報、第１の基準信号および／または少なくとも第２の基準信号のための出力と、を含むことができる。いくつかの実施形態においては、受信するための手段は、コンピュータ・プログラムと、ＤＳＰ（ＤＳＰ＝デジタル信号プロセッサ（Ｄｉｇｉｔａｌ  Ｓｉｇｎａｌ  Ｐｒｏｃｅｓｓｏｒ））、ＡＳＩＣ（ＡＳＩＣ＝特定用途向け集積回路（Ａｐｐｌｉｃａｔｉｏｎ−Ｓｐｅｃｉｆｉｃ  Ｉｎｔｅｇｒａｔｅｄ  Ｃｉｒｃｕｉｔ））、ＦＰＧＡ（ＦＰＧＡ＝フィールド・プログラマブル・ゲート・アレイ（Ｆｉｅｌｄ−Ｐｒｏｇｒａｍｍａｂｌｅ  Ｇａｔｅ  Ａｒｒａｙ））、または任意の他の処理ユニットなど、コンピュータ・プログラムがその上で実行されるハードウェア・コンポーネントとの観点から部分的に実施される可能性がある。
【００１５】
実施形態においては、決定するための手段は、任意の決定ユニット、決定モジュールなどに対応している可能性がある。それゆえに、実施形態においては、決定するための手段は、受信された第１の基準信号と受信された少なくとも第２の基準信号とのための入力と、受信された第１の基準信号と受信された第２の基準信号とを使用して、第１の品質情報と少なくとも第２の品質情報とを決定するアルゴリズムと、第１の品質情報と少なくとも第２の品質情報とのための出力とを含むことができる。いくつかの実施形態においては、決定するための手段は、コンピュータ・プログラムと、ＤＳＰ、ＡＳＩＣ、ＦＰＧＡ、任意の他の処理ユニットなど、コンピュータ・プログラムがその上で実行されるハードウェア・コンポーネントとの観点から実施される可能性がある。
【００１６】
実施形態においては、第１の品質情報と、少なくとも第２の品質情報とのうちの少なくとも一方を送信するための手段は、デジタル処理部分と、電力増幅器を有するアナログ処理部分とを含む、任意のトランスミッタ・ユニット、トランスミッタ・モジュール、トランシーバ・ユニット、トランシーバ・モジュールなどに対応している可能性がある。それゆえに、実施形態においては、送信するための手段は、第１の品質情報と少なくとも第２の品質情報とのうちの少なくとも一方のための入力と、第１の品質情報と少なくとも第２の品質情報とのうちの少なくとも一方で信号を変調し、また無線周波数信号を生成するアルゴリズムと、無線周波数信号を増幅する電力増幅器と、無線周波数信号のための出力とを含むことができる。いくつかの実施形態においては、送信するための手段は、コンピュータ・プログラムと、ＤＳＰ、ＡＳＩＣ、ＦＰＧＡ、または任意の他の処理ユニットなど、コンピュータ・プログラムがその上で実行されるハードウェア・コンポーネントとの観点から部分的に実施される可能性がある。
【００１７】
本目的は、さらに、無線通信システムにおいてオペレーションのための基地局によって達成されることさえもある。基地局は、基地局によってサービスされている移動局に対して、基地局の少なくとも１つの隣接する基地局によって第１の方向に向かって方向づけられており、また第１の仰角に関して位置合わせされている第１の放射線ビームを経由したアンテナ・アレイによる第１の基準信号の送信のための第１の無線リソース情報と、少なくとも１つの隣接する基地局により少なくとも１つ第２の方向に向かって方向づけられており、また第１の仰角と異なる第２の仰角に関して位置合わせされている少なくとも１つの第２の放射線ビームを経由したアンテナ・アレイによる少なくとも第２の基準信号の送信のための少なくとも第２の無線リソース情報とを送信するための手段を含んでいる。基地局は、移動局から、第１の放射線ビームの第１の品質情報と、少なくとも１つの第２の放射線ビームの少なくとも第２の品質情報とのうちの少なくとも一方を受信するための手段をさらに含んでいる。基地局は、第１の品質情報と、少なくとも第２の品質情報とのうちの少なくとも一方に基づいて、基地局による移動局のさらなるスケジューリングが、より適しているか、または少なくとも１つの隣接する基地局に対する移動局のハンドオーバが、より適しているかを決定するための手段をさらに含みさえもする。
【００１８】
実施形態においては、第１の無線リソース情報と、少なくとも第２の無線リソース情報とを送信するための手段は、デジタル処理部分と、電力増幅器を有するアナログ処理部分とを含む、任意のトランスミッタ・ユニット、トランスミッタ・モジュール、トランシーバ・ユニット、トランシーバ・モジュールなどに対応している可能性がある。それゆえに、実施形態においては、送信するための手段は、第１の無線リソース情報と少なくとも第２の無線リソース情報とのための入力と、第１の無線リソース情報および／または少なくとも第２の無線リソース情報で少なくとも１つの信号を変調し、また少なくとも１つの無線周波数信号を生成するアルゴリズムと、少なくとも１つの無線周波数信号を増幅する電力増幅器と、少なくとも１つの無線周波数信号のための出力とを含むことができる。いくつかの実施形態においては、送信するための手段は、コンピュータ・プログラムと、ＤＳＰ、ＡＳＩＣ、ＦＰＧＡ、または任意の他の処理ユニットなど、コンピュータ・プログラムがその上で実行されるハードウェア・コンポーネントとの観点から部分的に実施される可能性がある。
【００１９】
実施形態においては、受信するための手段は、任意のレシーバ、トランシーバ、レシーバ・ユニット、トランシーバ・モジュールなどに対応している可能性がある。それゆえに、実施形態においては、受信するための手段は、第１の品質情報と少なくとも第２の品質情報とのうちの少なくとも一方で変調される無線周波数信号などの受信信号のための入力と、受信信号のための前置増幅器と、受信信号から第１の品質情報と少なくとも第２の品質情報とのうちの少なくとも一方を抽出するアルゴリズムと、第１の品質情報と少なくとも第２の品質情報とのうちの少なくとも一方のための出力とを含むことができる。いくつかの実施形態においては、受信するための手段は、コンピュータ・プログラムと、ＤＳＰ、ＡＳＩＣ、ＦＰＧＡ、または任意の他の処理ユニットなど、コンピュータ・プログラムがその上で実行されるハードウェア・コンポーネントとの観点から部分的に実施される可能性がある。
【００２０】
実施形態においては、決定するための手段は、任意の決定ユニット、決定モジュールなどに対応している可能性がある。それゆえに、実施形態においては、決定するための手段は、第１の品質情報と少なくとも第２の品質情報とのうちの少なくとも一方のための入力と、第１の品質情報と少なくとも第２の品質情報とのうちの少なくとも一方を使用して、基地局による移動局のさらなるスケジューリングが、より適しているか、または少なくとも１つの隣接する基地局に向かっての移動局のハンドオーバが、適しているかを検証するアルゴリズムと、第１の品質情報と少なくとも第２の品質情報とのための出力とを含むことができる。いくつかの実施形態においては、決定するための手段は、コンピュータ・プログラムと、ＤＳＰ、ＡＳＩＣ、ＦＰＧＡ、任意の他の処理ユニットなど、コンピュータ・プログラムがその上で実行されるハードウェア・コンポーネントとの観点から実施される可能性がある。
【００２１】
それらの実施形態は、第１の利点として、無線通信システムにおいて、またとりわけいくつかの垂直の放射線ビームによってサービスされている無線セルと、ただ１つの垂直の放射線ビームによってサービスされているさらなる無線セルとの混合物から構成されるこれらの無線通信システムにおいて、改善されたハンドオーバ、またはセルの再関連付けを提供している。実施形態は、さらに、第２の利点として、干渉についての移動局についてのサービング基地局における知識を提供することさえもしており、この干渉は、隣接する基地局の様々な垂直の放射線ビームによって引き起こされる。それによって、サービング基地局は、それ自体のサービング無線セルにおける移動局のスケジューリングを最適化することができる可能性がある。最適化されたスケジューリングは、サービング無線セルにおいて、より高いスループットをもたらす。実施形態は、さらに、第３の利点として、隣接する基地局に対して移動局の再関連付けについてのよりよい決定を提供することさえもしており、この隣接する基地局は、いくつかの垂直の放射線ビームを送信する。それによって、無線通信システムの全般的なデータ・スループットが、達成されることもある。とりわけ、セル境界に位置している移動局は、より高いデータ・スループットでサービスされることもある。さらなる利点によれば、移動局が、少なくとも１つの隣接する基地局の無線セルの垂直の放射線ビームについての別個の測定を行うことができる限り、実施形態は、垂直の放射線ビームについての特別なＲＳ設計から独立している。
【００２２】
さらなる一実施形態においては、本方法は、少なくとも１つの隣接する基地局において、移動局から、第１の放射線ビームについての、また少なくとも第２の放射線ビームについてのさらなる品質情報を受信するステップと、代替的な放射線ビームが、初期のサービング放射線ビームよりも高い品質を提供するときに、少なくとも１つの隣接する基地局において、さらなる品質情報に基づいて、移動局をスケジュールするための代替的な放射線ビームを決定するステップとをさらに含む。
【００２３】
より高い品質は、初期のサービング放射線ビームを経由して移動局をスケジュールすることに比べて、代替的な放射線ビームを経由して移動局をスケジュールするための、より大きなデータ・スループットに対応していることが好ましい。
【００２４】
さらにさらなる一実施形態においては、本方法は、少なくとも１つの隣接する基地局において、第１の放射線ビームを経由した第１の基準信号の送信のための第１の無線リソース情報についての、また少なくとも１つの第２の放射線ビームを経由した少なくとも第２の基準信号の送信のための少なくとも１つの第２の無線リソース情報についての、サービング基地局からの要求を受信するステップと、少なくとも１つの隣接する基地局からサービング基地局へと応答を送信するステップとをさらに含み、この応答は、第１の無線リソース情報と、少なくとも１つの第２の無線リソース情報とを含んでいる。
【００２５】
さらなる実施形態によれば、第１の基準信号と、少なくとも第２の基準信号とについての送信するステップは、少なくとも２つの時間リソースにより、少なくとも２つの周波数リソースにより、少なくとも２つのコード・リソースにより、または時間リソースおよび周波数リソースの少なくとも２つの組により、第１の基準信号と、少なくとも第２の基準信号とを送信するステップを含んでいる。
【００２６】
さらなる一実施形態によれば、本方法は、サービング基地局から少なくとも１つの隣接する基地局へと、第１の放射線ビームの、また少なくとも１つの隣接する基地局による少なくとも１つの第２の放射線ビームの使用についての情報についての要求を送信するステップと、サービング基地局において、少なくとも１つの隣接する基地局から、情報を有する応答を受信するステップとをさらに含む。
【００２７】
使用情報は、第１の放射線ビームを経由した、および／または少なくとも１つの第２の放射線ビームを経由した少なくとも１つの隣接する基地局における、さらなる移動局のスケジューリングについての情報を含んでいることが好ましい。
【００２８】
さらなる実施形態は、さらなる利点として、干渉についての移動局のサービング基地局における知識を提供しており、この干渉は、隣接する基地局の様々な垂直の放射線ビームによって引き起こされる。それによって、サービング基地局は、それ自体のサービング無線セルにおいて移動局のスケジューリングを最適化することができる可能性がある。最適化されたスケジューリングは、サービング無線セルにおいて、より高いスループットをもたらす。
【００２９】
さらにさらなる一実施形態によれば、第１の放射線ビームと、少なくとも１つの隣接する基地局による少なくとも１つの第２の放射線ビームとのうちの１つの使用が、所定の判断基準を満たし、また移動局についてのハンドオーバ決定が、待ち状態にあるときに、本方法は、サービング基地局において、タイム・スロットにおける品質情報に基づいて、ダウンリンク・データについて移動局をスケジュールするステップをさらに含んでいる。
【００３０】
所定の判断基準は、第１の放射線ビームと、移動局のロケーションにおいて最大の干渉を有する少なくとも１つの第２の放射線ビームとのうちの１つが、現在使用されていないという、サービング基地局における情報の使用可能性であることが、好ましい。
【００３１】
さらなる一実施形態によれば、第１の放射線ビームと、少なくとも１つの第２の放射線ビームとのうちの１つの使用が、所定の判断基準を満たすときに、また少なくとも１つのタイム・スロット中に、アップリンク・データが、少なくとも１つのさらなる移動局から少なくとも１つの隣接する基地局へと送信されるときに、本方法は、サービング基地局において、少なくとも１つのタイム・スロットにおけるアップリンク・データについての移動局のスケジューリングを防止するステップをさらに含んでいる。
【００３２】
本発明の実施形態のさらなる有利な特徴は、従属請求項において規定され、また以下の詳細な説明において説明される。
【００３３】
本発明の実施形態は、以下の詳細な説明において明らかになることになり、また非限定的な例証として与えられる添付の図面によって示されるであろう。
【図面の簡単な説明】
【００３４】
【図１】いくつかの垂直の放射線ビームを送信するように適合された第１の基地局と、単一の垂直の放射線ビームを送信するように適合された第２の基地局と、第１の基地局と第２の基地局との間に位置している移動局とを含む無線アクセス・ネットワークを概略的に示す図である。
【図２】無線通信システムにおける放射線ビームの選択のための、移動局のための方法の流れ図を概略的に示す図である。
【図３】無線通信システムにおける放射線ビームの選択のための、第２の基地局のための方法の流れ図を概略的に示す図である。
【図４】無線通信システムにおける放射線ビームの選択のための、第１の基地局のための方法の流れ図を概略的に示す図である。
【図５】無線通信システムにおける放射線ビームの選択のために適合されている移動局のブロック図を概略的に示す図である。
【図６】無線通信システムにおける放射線ビームの選択のために適合されている第２の基地局のブロック図を概略的に示す図である。
【図７】無線通信システムにおける放射線ビームの選択のために適合されている第１の基地局のブロック図を概略的に示す図である。
【発明を実施するための形態】
【００３５】
説明および図面は、単に本発明の原理を示しているにすぎない。したがって、当業者なら、本発明の原理を実施する様々な構成を考案することができるようになることが理解されるであろう。さらに、本明細書において列挙されるすべての例は、主として、本発明者等が当技術を推進することに寄与している本発明の原理、および概念を理解する際に、読者を支援する教育上の目的のためにすぎないように明示的に意図され、またそのような具体的に列挙された例および状態だけに限定することのないように解釈されるべきである。図面の中に示される処理ユニットを通しての処理機能の分割は、重要なものではなく、また当業者によって理解される可能性があるように、処理ユニットの数と、処理機能の数と、処理ユニットに対する処理機能の割付けとは、添付の特許請求の範囲において規定されるように、本発明の実施形態の範囲を逸脱することなしに、変化することができる。本方法（単数または複数）を実行するためのステップの数は、重要ではなく、また当業者によって理解される可能性があるように、ステップの数と、ステップのシーケンスとは、添付の特許請求の範囲において規定されるように、本発明の実施形態の範囲を逸脱することなしに、変化することができる。
【００３６】
図１は、例えば、いわゆる垂直のプリコーディングを適用することにより、いくつかの垂直の放射線ビームＢＭ１−ＢＳ１、．．．、ＢＭ５−ＢＳ１を送信するように適合されている第１の基地局ＢＳ１を含む無線アクセス・ネットワークＲＡＮを概略的に示すものである。
【００３７】
代わりに、第１の基地局ＢＳ１は、いくつかの垂直の放射線ビームＢＭ１−ＢＳ１、．．．、ＢＭ５−ＢＳ１を送信するように適合されていることもあり、また追加して、いわゆるＭＩＭＯ送信スキーム（ＭＩＭＯ＝多入力多出力（Ｍｕｌｔｉｐｌｅ  Ｉｎｐｕｔ  Ｍｕｌｔｉｐｌｅ  Ｏｕｔｐｕｔ））によるいくつかの水平の放射線ビーム（いくつかの水平の放射線ビーム）は、簡単にするために図１においては示されていない。
【００３８】
無線アクセス・ネットワークＲＡＮは、単一の垂直の放射線ビームＢＭ−ＢＳ２を送信するように適合されており、またいくつかの水平の放射線ビームを送信するように適合されていることもある第２の基地局ＢＳ２をさらに含んでおり、これらの水平の放射線ビームは、簡単にするために図１においては示されていない。
【００３９】
無線アクセス・ネットワークＲＡＮは、第２の基地局ＢＳ２の第２の無線セルＣ２のセル境界に、また第１の基地局ＢＳ１の第１の無線セルＣ１と、第２の無線セルＣ２との間のセル・オーバーラップ・エリアＣＯＡの中に、位置している移動局ＭＳをさらに含んでいることさえもある。
【００４０】
無線アクセス・ネットワークＲＡＮは、無線通信システムのコア・ネットワークに接続されていることもあり、このコア・ネットワークもまた、簡単にするために示されていない。無線アクセス・ネットワークＲＡＮは、例えば、すべて３ＧＰＰによって標準化されるＧＳＭ／ＧＰＲＳ（ＧＳＭ＝移動通信用グローバル・システム（Ｇｌｏｂａｌ  Ｓｙｓｔｅｍ  ｆｏｒ  Ｍｏｂｉｌｅ  Ｃｏｍｍｕｎｉｃａｔｉｏｎ）、ＧＰＲＳ＝汎用パケット無線サービス（Ｇｅｎｅｒａｌ  Ｐａｃｋｅｔ  Ｒａｄｉｏ  Ｓｅｒｖｉｃｅ））、ＵＭＴＳ（ＵＭＴＳ＝ユニバーサル・モバイル・テレコミュニケーション・システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍｓ））、ＨＳＰＡ（ＨＳＰＡ＝高速パケット・アクセス（Ｈｉｇｈ  Ｓｐｅｅｄ  Ｐａｃｋｅｔ  Ａｃｃｅｓｓ））、ＬＴＥ（ＬＴＥ＝ロング・ターム・エボリューション（Ｌｏｎｇ  Ｔｅｒｍ  Ｅｖｏｌｕｔｉｏｎ））、またはＬＴＥ−進化型などのセルラー方式モバイル通信システムの無線アクセス・ネットワークとすることができる。代わりに、無線アクセス・ネットワークＲＡＮは、ＩＥＥＥ  ８０２．１１規格のうちの１つに基づいていることもあるＷＬＡＮ（ＷＬＡＮ＝ワイヤレス・ローカル・エリア・ネットワーク（Ｗｉｒｅｌｅｓｓ  Ｌｏｃａｌ  Ａｒｅａ  Ｎｅｔｗｏｒｋ））とすることができる。さらなる代替案においては、無線アクセス・ネットワークＲＡＮは、例えば、ケーブルに対する代替案として最後のマイルのワイヤレス・ブロードバンド・アクセスの配信を可能にするためのＩＥＥＥ  ８０２．１６規格のうちの１つに基づいたＷｉＭＡＸネットワーク（ＷｉＭＡＸ＝ワールドワイド・インターオペラビリティ・フォー・マイクロウェーブ・アクセス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ））と、ＤＳＬ（ＤＳＬ＝デジタル加入者回線（Ｄｉｇｉｔａｌ  Ｓｕｂｓｃｒｉｂｅｒ  Ｌｉｎｅ））とすることができる。さらにさらなる代替案においては、無線アクセス・ネットワークＲＡＮ１は、３ＧＰＰ２（３ＧＰＰ２＝第３世代パートナーシップ・プロジェクト２（３ｒｄ  Ｇｅｎｅｒａｔｉｏｎ  Ｐａｒｔｎｅｒｓｈｉｐ  Ｐｒｏｊｅｃｔ  ２））によって標準化されるｃｄｍａＯｎｅ、ＣＤＭＡ２０００、およびＣＤＭＡ２０００  ＥＶ−ＤＯを含むＣＤＭＡファミリの規格のうちの１つに基づいたものとすることができる。
【００４１】
用語「基地局」は、基地トランシーバ局、アクセス・ポイント基地局、アクセス・ポイント、マクロ基地局、マクロセル、マイクロ基地局、マイクロセル、フェムトセル、ピコセルなどに対する同義語と考えられ、かつ／または基地トランシーバ局、アクセス・ポイント基地局、アクセス・ポイント、マクロ基地局、マクロセル、マイクロ基地局、マイクロセル、フェムトセル、ピコセルなどと称されることもあり、また１つまたは複数の無線リンクを経由して１つまたは複数の移動局に対してワイヤレス接続を提供する機器を説明することができる。第１の基地局ＢＳ１と、第２の基地局ＢＳ２とは、例えば、ＬＴＥノードＢ（ＬＴＥ  Ｎｏｄｅ  Ｂ）、ＩＥＥＥ  ８０２．１１のアクセス・ポイント、ＷｉＭＡＸ基地局などとすることができる。
【００４２】
用語「マクロ基地局」は、基地局に対する同義語と考えられ、かつ／または基地局のことを意味することもあり、この基地局は、数百メートルから数キロメートルまでのレンジにおけるサイズを有する無線セルを提供する。マクロ基地局は、通常、一般的に、数十ワットの最大出力電力を有している。
【００４３】
用語「マイクロ基地局」は、基地局に対する同義語と考えられ、かつ／または基地局のことを意味することもあり、この基地局は、数十メートルから数百メートルまでのレンジにおけるサイズを有している無線セルを提供する。マイクロ基地局は、通常、一般的に数ワットの最大出力電力を有している。
【００４４】
用語「マクロセル」は、無線セルに対する同義語と考えられ、かつ／または無線セルのことを意味することもあり、この無線セルは、最も広いレンジのすべての無線セルのサイズを提供する。マクロセルは、通常、農村地域において、またはハイウェイに沿って見出され、また通常、数十ワットのレンジにおける送信電力で動作させられる。
【００４５】
用語「マイクロセル」は、低電力のセルラー方式基地局によってサービスされるセルラー方式ネットワークにおける無線セルに対する同義語と考えられ、かつ／または無線セルのことを意味することもあり、モール、ホテル、交通ハブなど、限られたエリア（マクロセルのエリアよりも小さい）を対象として含んでいる。マイクロセルは、無線セルのグループのことを意味しており、この無線セルのグループは、ピコセルと、フェムトセルとを含んでいる。
【００４６】
用語「ピコセル」は、建物の内部（オフィス、ショッピング・モール、列車の駅、証券取引所など）やより最近の航空機内部などのスモール・エリアを一般的に対象として含むスモール・セルラー方式基地局に対する同義語と考えられ、かつ／またはスモール・セルラー方式基地局のことを意味することもある。セルラー方式ネットワークにおいては、ピコセルを一般的に使用して、屋外信号がよく届かない場合の屋内エリアにカバレッジを拡張し、または列車の駅など、非常に高密度の電話使用を伴うエリアにおいてネットワーク容量を追加する。
【００４７】
用語「フェムトセル」は、一般的に家庭または小規模ビジネスにおいて使用するために設計された小規模の、低電力セルラー方式基地局に対する同義語と考えられ、かつ／または小規模の、低電力セルラー方式基地局のことを意味することもある。産業界においてより広く広まっているより広い用語は、サブセットとしてフェムトセルを有している、スモール・セルである。
【００４８】
用語「移動局」は、バス、電車、自動車さえなど、移動する乗り物の中に位置するときに、モバイル・ユニット、モバイル・ユーザ、アクセス端末、ユーザ機器、加入者、ユーザ、リモート局、またはスモール・セル、ピコセルもしくはフェムトセルに対する同義語と考えられることもあり、また以下で時に、モバイル・ユニット、モバイル・ユーザ、アクセス端末、ユーザ機器、加入者、ユーザ、リモート局、またはスモール・セル、ピコセルもしくはフェムトセルと称されることもある。移動局ＵＥ１、ＵＥ２のうちのそれぞれは、例えば、セルラー方式電話、スマートフォン、ポータブル・コンピュータ、ポケット・コンピュータ、ハンドヘルド・コンピュータ、携帯型個人情報端末、移動基地局、スマート・ウォッチ、グーグル・グラスなどのヘッドマウント・ディスプレイ、またはリピータまたはリレーなどの車載モバイル・デバイスとすることができる。
【００４９】
用語「無線セル」は、無線セル、セル、無線セクタ、セクタなどに対する同義語と考えられ、かつ／または無線セル、セル、無線セクタ、セクタなどと称されることもある。
【００５０】
第１の基地局ＢＳ１は、アンテナ・アレイＡＡ１を含んでいる。アンテナ・アレイＡＡ１の放射表面ＲＳに関する表面法線ＳＮは、垂直の放射線ビームＢＭ１−ＢＳ１、ＢＭ２−ＢＳ１、ＢＭ３−ＢＳ１、ＢＭ４−ＢＳ１、ＢＭ５−ＢＳ１の仰角を定義するために使用され、これらの垂直の放射線ビームは、第１の基地局ＢＳ１のアンテナ・アレイＡＡ１によって送信される。
【００５１】
第１の基地局ＢＳ１は、第１の仰角ＥＬＡ１を適用することにより、第１の垂直の放射線ビームＢＭ１−ＢＳ１を送信する。第１の仰角ＥＬＡ１は、表面法線ＳＮと、第１の垂直の放射線ビームＢＭ１−ＢＳ１のビーム方向ＭＢＤ１との間の角度として規定されることもある。第１の基地局ＢＳ１は、さらに、第２の仰角を適用することにより、第２の垂直の放射線ビームＢＭ２−ＢＳ１を送信する。表面法線ＳＮと、第２の垂直の放射線ビームＢＭ２−ＢＳ１のビーム方向ＭＢＤ２とは、図１において例示的に示されるように、同じ方向を有することができるので、第２の仰角ＥＬＡ２は、ゼロである可能性がある。同じやり方で、第１の基地局ＢＳ１は、さらなる３つの垂直の放射線ビームＢＭ３−ＢＳ１、ＢＭ４−ＢＳ１、ＢＭ５−ＢＳ１についてのさらなる仰角（簡単にするために示されていない）を適用する。第１の基地局ＢＳ１は、代わりに、ただ２つの垂直の放射線ビーム、８つの垂直の放射線ビームなど、５つよりも多くの垂直の放射線ビームを送信することもできる。
【００５２】
第１のビーム方向は、第１の仰角の結果として、第１のカバレッジ・エリアＣＡ１を指し示し、第２のビーム方向は、第２の仰角の結果として、第２のカバレッジを指し示すなどである（第４の垂直の放射線ビームＢＭ４−ＢＳ１についてのさらなるカバレッジ・エリアＣＡ４だけが、簡単にするために図１の中に示される）。それによって、第１のカバレッジ・エリアＣＡ１と、少なくとも第２のカバレッジ・エリアとは、第１の基地局ＢＳ１の第１の無線セルＣ１の内部の異なる半径位置に位置している。半径位置は、例えば、第１の無線セルＣ１の中心に対する特定の平均距離を有する位置、またはアンテナ・アレイＡＡ１についてのアンテナ支柱のロケーションに対する特定の平均距離を有する位置を意味する。
【００５３】
第２の基地局ＢＳ２は、垂直の放射線ビームＢＭ−ＢＳ２を経由して移動局ＭＳにサービスするために、移動局ＭＳに向かって単一の垂直の放射線ビームＢＭ−ＢＳ２のビーム方向ＭＢＤを調整している可能性がある。
【００５４】
垂直の放射線ビームＢＭ１−ＢＳ１、ＢＭ２−ＢＳ１、ＢＭ３−ＢＳ１、ＢＭ４−ＢＳ１、ＢＭ５−ＢＳ１は、同時に、また互いに独立して適用されることもある。これは、第１の垂直の放射線ビームＢＭ１−ＢＳ１が、移動局ＭＳに向けられることもあり、この移動局ＭＳが、第１の無線セルＣ１と、第２の無線セルＣ２との間のセル・オーバーラップ・エリアの中に位置しており、また例えば、第４の垂直の放射線ビームＢＭ４−ＢＳ１が、さらなる移動局に向けられることもあり、この移動局が、第１の無線セルＣ１の中心に対してより近くに位置している可能性があることを意味している。さらなる一実施形態においては、移動局は、第１のＯＦＤＭ周波数サブキャリアなど、第１の周波数リソースの上の１つの垂直の放射線ビームにより、また第２のＯＦＤＭ周波数サブキャリアなど、第２の周波数リソースの上のさらなる垂直の放射線ビームにより、同時にサービスされる可能性がある。
【００５５】
既に上記で述べられているように、異なる方位角を使用することによる第１の基地局ＢＳ１と第２の基地局ＢＳ２とのアンテナ・システムのロケーションの周囲のいくつかの半径方向に向かっての、第１の基地局ＢＳ１による、また第２の基地局ＢＳ２による水平の放射線ビームの送信は、簡単にするために図１の中には示されていない。方位角は、例えば、アンテナ・アレイＡＡ１の放射表面の表面法線と、水平の放射線ビームのビーム方向との間の角度として規定されることもある。
【００５６】
無線アクセス・ネットワークＲＡＮのさらなる基地局と、無線アクセス・ネットワークＲＡＮに接続されているさらなる移動局とは、簡単にするために示されてはいない。本方法と、第２の基地局ＢＳ２の隣接する基地局である第１の基地局ＢＳ１に関して以下で説明されるネットワーク・ノードＢＳ１、ＢＳ２およびＭＳとの特徴は、図１の中に示されていない第２の基地局ＢＳ２のさらなる隣接する基地局に対して拡張される可能性があり、また簡単にするために以下では、説明されていない。
【００５７】
無線アクセス・ネットワークＲＡＮは、３ＧＰＰによって規定されるＸ２インターフェースなど、第１の基地局ＢＳ１と、第２の基地局ＢＳ２との間の第１のバックホール・リンクＢＨＬ１をさらに含んでいる。ＬＴＥにおけるＸ２インターフェースは、第１の基地局ＢＳ１と、第２の基地局ＢＳ２との間の直接の情報交換のために使用される。それゆえに、第１の基地局ＢＳ１と、第２の基地局ＢＳ２とは、いわゆるＮＲＴ（ＮＲＴ＝近隣関係テーブル（Ｎｅｉｇｈｂｏｕｒ  Ｒｅｌａｔｉｏｎ  Ｔａｂｌｅ））を確立する。これは、互いからの基準信号についての無線リソース情報などのパラメータを直接に要求することを可能にする。
【００５８】
代わりに、またオプションとして、無線アクセス・ネットワークＲＡＮは、基準信号の無線リソース情報を記憶するための中央データベースＣＤＢをさらに含むことができ、これらの基準信号は、無線アクセス・ネットワークＲＡＮの所定のエリアの内部で、または無線アクセス・ネットワークＲＡＮの所定の数の基地局によって、垂直の放射線ビームを経由して送信される。第２の基地局ＢＳ２は、第２のバックホール・リンクＢＨＬ２により、中央データベースＣＤＢに接続されることもある。中央データベースＣＤＢは、Ｏ＆Ｍデータベース（Ｏ＆Ｍ＝オペレーション・アンド・メインテナンス（Ｏｐｅｒａｔｉｏｎ  ａｎｄ  Ｍａｉｎｔｅｎａｎｃｅ））とすることができ、このＯ＆Ｍデータベースは、通常、無線通信システムを動作させるためのシステム関連パラメータを含んでいる。
【００５９】
用語「基準信号」は、ＣＲＳ（ＣＲＳ＝共通参照シンボル（ｃｏｍｍｏｎ  ｒｅｆｅｒｅｎｃｅ  ｓｙｍｂｏｌ））、ＣＳＩ参照シンボル（ＣＳＩ＝チャネル状態情報（Ｃｈａｎｎｅｌ  Ｓｔａｔｅ  Ｉｎｆｏｒｍａｔｉｏｎ））、共通パイロット、共通パイロット信号、共通パイロット・シンボル、ビーコン、ビーコン信号などに対する同義語と考えられ、かつ／またはＣＲＳ（ＣＲＳ＝共通参照シンボル）、ＣＳＩ参照シンボル（ＣＳＩ＝チャネル状態情報）、共通パイロット、共通パイロット信号、共通パイロット・シンボル、ビーコン、ビーコン信号などと称されることもあり、この信号は、無線セルまたは無線セクタにおけるすべての移動局に対して、マルチキャストまたはブロードキャストの形で送信される。
【００６０】
基本的には、第１の基地局ＢＳ１と、第２の基地局ＢＳ２と、移動局ＭＳとの間のオペレーションは、以下のようである。
【００６１】
移動局ＭＳが、セル・オーバーラップ・エリアＣＯＡの中の第２の無線セルＣ２のセル境界に位置しているときに、第２の基地局ＢＳ２は、例えば、移動局ＭＳに対して、第１の放射線ビームＢＭ１−ＢＳ１を経由した第１の基準信号の送信のための第１の無線リソース情報と、第２の放射線ビームＢＭ２−ＢＳ１を経由した少なくとも第２の基準信号の送信のための少なくとも第２の無線リソース情報とを送信することが好ましい。これは、第１の無線リソース情報と、少なくとも第２の無線リソース情報とが、垂直の放射線ビームＢＭ１−ＢＳ１、．．．、ＢＭ５−ＢＳ１のサブグループのために送信され得ることを意味している。代わりに、垂直の放射線ビームＢＭ１−ＢＳ１、．．．、ＢＭ５−ＢＳ１のうちのそれぞれ１つからの基準信号の送信のための無線リソース情報は、第２の基地局ＢＳ２から移動局ＭＳへと送信されることもある。移動局ＭＳにおける第１の無線リソース情報と少なくとも第２の無線リソース情報との受信により、移動局ＭＳは、第１の基準信号と、少なくとも第２の基準信号とを受信し、また検出することができるようになる。
【００６２】
第１の無線リソース情報と、少なくとも第２の無線リソース情報とは、マッピング・リストとして移動局ＭＳに対して送信されることが好ましい可能性があり、このマッピング・リストは、垂直の放射線ビームＢＭ１−ＢＳ１、．．．、ＢＭ５−ＢＳ１についての識別子と、時間リソース、周波数リソース、時間リソースと周波数リソースとの組、および／またはコード・リソースについての表示など、基準信号についての識別子とを含む。時間リソースは、例えば、ＬＴＥにおいて適用されるなど、１ｍｓのサブフレームとすることができる。周波数リソースは、例えば、ＬＴＥにおいて適用されるなど、ＯＦＤＭ周波数サブキャリアとすることができる。コード・リソースは、例えば、ＵＭＴＳにおいて適用されるなど、拡散コードとすることができる。時間リソースと周波数リソースとの組は、例えば、ＬＴＥにおいて適用されるなど、リソース要素の時間および周波数の位置の組、すなわち、ＯＦＤＭのフレームおよびサブキャリアの共通部分とすることができる。第１の無線リソース情報と、少なくとも第２の無線リソース情報とは、第１の基地局ＢＳ１から第２の基地局ＢＳを経由して移動局ＭＳへと、またはブロードキャストを経由して第１の基地局ＢＳ１から移動局ＭＳへと直接に送信されることもある。
【００６３】
基準信号は、移動局が垂直の放射線ビームＢＭ１−ＢＳ１、．．．、ＢＭ５−ＢＳ１を区別することができるようなやり方で、垂直の放射線ビームＢＭ１−ＢＳ１、．．．、ＢＭ５−ＢＳ１を経由して送信される必要がある。この区別が、例えば、タイム・ドメインにおいて行われる場合に、第１の時間周期において、基準信号は、垂直の放射線ビームＢＭ１−ＢＳ１、．．．、ＢＭ５−ＢＳ１のうちの第１の放射線ビームを経由して送信され、第２の時間周期においては、基準信号は、垂直の放射線ビームＢＭ１−ＢＳ１、．．．、ＢＭ５−ＢＳ１のうちの第２の放射線ビームを経由して送信されルなどである。
【００６４】
第１の基地局ＢＳ１から第１の基地局ＢＳ１によってサービスされる移動局へのデータ送信では、垂直の放射線ビームＢＭ１−ＢＳ１、ＢＭ２−ＢＳ１、ＢＭ３−ＢＳ１、ＢＭ４−ＢＳ１、ＢＭ５−ＢＳ１のうちのそれぞれ１つは、水平の放射線ビームのうちのそれぞれ１つによって結合されることもある。基準信号は、垂直方向にプリコーディングされて、所定の数の垂直の放射線ビームを、例えば、時分割多重において、水平方向に形成するが、アンテナ・アレイＡＡ１（図７においてアンテナ・システムＡＮＴ−ＳＹＳ−ＢＳ１として示される）の水平方向Ｈ−ＤＩＲ（図７参照）における特定の位置において配列されるアンテナ要素のうちのそれぞれ１つは、直交基準信号のそれ自体の組を有する。このようにして、移動局ＭＳは、プリコーディングされた垂直の基準信号についての信号品質に基づいて、最良の垂直の放射線ビームを決定するように適合されている。さらに、移動局ＭＳは、水平のアンテナ要素当たりに受信されている直交基準信号に基づいて、最良の水平の垂直の放射線ビームを算出するように適合されている。
【００６５】
これは、移動局ＭＳが、水平方向Ｈ−ＤＩＲにおける異なる位置におけるアンテナ要素を区別することができることを意味している。垂直方向におけるプリコーディングに起因して、移動局ＭＳは、アンテナ要素を観察し、または知覚するように適合されており、これらのアンテナ要素は、単一のアンテナ要素として、アンテナ・アレイＡＡ１の垂直方向Ｖ−ＤＩＲ（図７を参照）における異なる位置に配列される。それによって、移動局ＭＳは、水平方向Ｈ−ＤＩＲに配列されている異なるアンテナ要素を検出することができるが、上記で説明されるように、タイム・ドメインにおける垂直の放射線ビームの区別に、例えば、基づいて、信号品質のジャンピングのようなシーソー（ｓｅｅ−ｓａｗ）を観察する。
【００６６】
同じ原理が、第２の基地局ＢＳ２についてもまた、適用されることが好ましい可能性がある。
【００６７】
移動局ＭＳは、受信された第１の基準信号に基づいて、第１の放射線ビームＢＭ１−ＢＳ１についての第１の品質情報を決定し、また受信された少なくとも第２の基準信号に基づいて、少なくとも第２の放射線ビームＢＭ２−ＢＳ１、．．．、ＢＭ５−ＢＳ１についての少なくとも第２の品質情報を決定する。第１の放射線ビームＢＭ１−ＢＳ１と、少なくとも第２の放射線ビームＢＭ２−ＢＳ１、．．．、ＢＭ５−ＢＳ１とのカバレッジ・エリアはまた、移動局ＭＳの候補セルとして解釈されることもある。
【００６８】
次いで、移動局ＭＳは、第１の品質情報と、少なくとも第２の品質情報とのうちの少なくとも一方を第２の基地局ＢＳ２に対して送信する。第１の品質情報と、少なくとも第２の品質情報とのうちの少なくとも一方の受信により、第２の基地局ＢＳ２は、第１の品質情報と、少なくとも第２の品質情報とのうちの少なくとも一方に基づいて、第２の基地局ＢＳ２による移動局ＭＳのさらなるスケジューリングが、より適しているか、または第１の基地局ＢＳ１の垂直の放射線ビームＢＭ１−ＢＳ１、．．．、ＢＭ５−ＢＳ１のうちの１つに対する移動局ＭＳのハンドオーバが、より適しているかを決定することができるようになる。一実施形態においては、移動局ＭＳは、最良の垂直の放射線ビームＢＭ１−ＢＳ１、．．．、ＢＭ５−ＢＳ１についての品質情報だけを第２の基地局ＢＳ２に対して送信することができる。
【００６９】
例えば、第２の基地局ＢＳ２が、移動局ＭＳのさらなるスケジューリングについて決定するとき、第１の基地局ＢＳ１による第１の垂直の放射線ビームＢＭ１−ＢＳ１と、少なくとも１つの第２の垂直の放射線ビームＢＭ２−ＢＳ１、．．．、ＢＭ５−ＢＳ１とのうちの少なくとも１つの使用が、第１の垂直の放射線ビームＢＭ１−ＢＳ１と、少なくとも１つの第２の垂直の放射線ビームＢＭ２−ＢＳ１、．．．、ＢＭ５−ＢＳ１とのうちの少なくとも１つが少なくとも１つのタイム・スロット中に第１の基地局ＢＳ１によって使用されないことになるなど、所定の判断基準を満たすときには、第２の基地局ＢＳ２は、少なくとも１つのタイム・スロットにおける第１の品質情報と、少なくとも第２の品質情報とのうちの少なくとも一方に基づいて、アップリンク・データおよび／またはダウンリンク・データについて、移動局ＭＳをスケジュールすることができる。
【００７０】
代わりに、第２の基地局ＢＳ２が、第１の基地局ＢＳ１に対する移動局ＭＳのハンドオーバについて決定するときには、第２の基地局ＢＳ２は、第１の品質情報と、少なくとも第２の品質情報とのうちの少なくとも一方に基づいて、第２の基地局ＢＳ２から第１の基地局ＢＳ１へのハンドオーバの後に、移動局ＭＳにサービスするために第１の基地局ＢＳ１において適用されるべき初期のサービング放射線ビームとして、第１の垂直の放射線ビームＢＭ１−ＢＳ１と、少なくとも１つの第２の垂直の放射線ビームＢＭ２−ＢＳ１、．．．、ＢＭ５−ＢＳ１とのうちの１つを決定する。そのような場合には、第２の基地局ＢＳ２は、第１の基地局ＢＳ１に対して、選択された初期のサービング放射線ビームのビーム情報を送信する。ビーム情報を受信するときに、第１の基地局ＢＳ１は、移動局ＭＳをスケジュールするために移動局ＭＳにサービスするための選択された初期のサービング放射線ビームを適用する。
【００７１】
移動局ＭＳと、第２の基地局ＢＳ２と、第１の基地局ＢＳ１とによって適用されている方法についてのさらなる詳細は、以下の図２、３および４に関連して説明される。
【００７２】
技術的説明が、垂直の放射線ビームの好ましい実施形態について、図１に関して上記で与えられ、また図２から７に関して以下で与えられる。代替的な一実施形態においては、垂直の放射線ビームは、水平の放射線ビームにより、または垂直の放射線ビームと水平の放射線ビームとの混合物によって置き換えられることもある。
【００７３】
図２は、無線アクセス・ネットワークＲＡＮにおける垂直の放射線ビームＢＭ１−ＢＳ１、．．．、ＢＭ５−ＢＳ１の処理または管理のために、移動局に関連したプロセス・ステップを実行するための移動局ＭＳのための方法ＭＥＴ−ＭＳの流れ図を概略的に示すものである。
【００７４】
第１のステップＳ１−ＭＳにおいて、移動局ＭＳは、第１の基準信号についての第１の無線リソース情報と、第２の基準信号についての、また好ましくは、垂直の放射線ビームＢＭ３−ＢＳ１、ＢＭ４−ＢＳ１、ＢＭ５−ＢＳ１を経由して送信されているさらなる基準信号についての、少なくとも第２の無線リソース情報とを受信する。第１の代替案においては、移動局ＭＳは、例えば、３ＧＰＰ無線通信システムにおいて適用されるなどのＲＲＣメッセージ（ＲＲＣ＝無線リソース制御（Ｒａｄｉｏ  Ｒｅｓｏｕｒｃｅ  Ｃｏｎｔｒｏｌ））により、第２の基地局ＢＳ２から第１の無線リソース情報と、少なくとも第２の無線リソース情報とを受信することができる。第２の代替案においては、移動局ＭＳは、例えば、ブロードキャスト・チャネルの上のブロードキャスト・メッセージにより、第１の基地局ＢＳ１から直接に、第１の無線リソース情報と、少なくとも第２の無線リソース情報とを受信することができる。
【００７５】
第１の実施形態においては、同じタイプの基準信号が、第１の垂直の放射線ビームＢＭ１−ＢＳ１と、少なくとも１つの第２の垂直の放射線ビームＢＭ２−ＢＳ１、．．．、ＢＭ５−ＢＳ１との間で、定期的に切り替えられるときに、第１の垂直の放射線ビームＢＭ１−ＢＳ１と、少なくとも１つの第２の垂直の放射線ビームＢＭ２−ＢＳ１、．．．、ＢＭ５−ＢＳ１とは、垂直のプリコーディングのグループのうちの１つで定期的にプリコーディングされ、これらの垂直のプリコーディングは、第１の垂直の放射線ビームＢＭ１−ＢＳ１のために、また少なくとも１つの第２の垂直の放射線ビームＢＭ２−ＢＳ１、．．．、ＢＭ５−ＢＳ１のために適用される。そのような場合には、第１の無線リソース情報は、第１の基準信号の好ましくは定期的な送信のための第１の周期的なタイム・スロットについての情報など、第１の時間リソースまたは第１のタイミング情報についての第１の表示を含んでいる。同じやり方で、少なくとも第２の無線リソース情報は、少なくとも第２の基準信号の好ましくは定期的な送信のための第２の周期的タイム・スロットについての情報など、第２の時間リソースまたは第２のタイミング情報についての少なくとも１つの第２の表示を含んでいる。
【００７６】
第２の実施形態においては、同じタイプの基準信号が、第１の垂直の放射線ビームＢＭ１−ＢＳ１と、少なくとも１つの第２の垂直の放射線ビームＢＭ２−ＢＳ１、．．．、ＢＭ５−ＢＳ１との間で定期的に切り替えられるときに、第１の無線リソース情報は、例えば、時間リソースと周波数リソースとの第１のグリッドの内部の第１の基準信号の位置についての第１の表示を含んでいる。同じやり方で、少なくとも第２の無線リソース情報は、例えば、時間リソースと周波数リソースとの少なくとも１つの第２のグリッドの内部の少なくとも第２の基準信号の位置についての少なくとも第２の表示を含んでいる。例えば、ＬＴＥにおいては、基準信号は、各サブフレームの中に、またサブキャリア位置６、１２、１８、．．．におけるそれぞれの第１および第６のＯＦＤＭシンボルの中に、またサブキャリア位置３、９、１５、．．．におけるそれぞれの第３および第９のＯＦＤＭシンボルの中に位置している。好ましい実施形態においては、第１のサブフレームの基準信号は、第１の垂直の放射線ビームＢＭ１−ＢＳ１のために使用され、第２のサブフレームの基準信号は、少なくとも１つの第２の垂直の放射線ビームＢＭ２−ＢＳ１、．．．、ＢＭ５−ＢＳ１のうちの第２の放射線ビームのために使用されるなどである。代替的な一実施形態においては、基準信号の周波数位置は、第１の垂直の放射線ビームＢＭ１−ＢＳ１と、少なくとも１つの第２の垂直の放射線ビームＢＭ２−ＢＳ１、．．．、ＢＭ５−ＢＳ１とを通して分散されることもある。
【００７７】
第３の実施形態においては、垂直の放射線ビームＢＭ１−ＢＳ１、．．．、ＢＭ５−ＢＳ１のうちのそれぞれ１つは、異なる拡散コードなど、異なるコード・リソースを有することができる。それによって、垂直の放射線ビームＢＭ１−ＢＳ１、．．．、ＢＭ５−ＢＳ１のうちのいくつかまたはすべてが、移動局ＭＳによって同時に測定されることもある。この場合には、第１の無線リソース情報は、例えば、第１の基準信号の送信のために適用されている第１の拡散コードについての第１の表示を含んでいる。同じやり方で、少なくとも第２の無線リソース情報は、例えば、少なくとも第２の基準信号の送信のために適用されている少なくとも１つの第２の拡散コードについての少なくとも１つの第２の表示を含んでいる。
【００７８】
上記で与えられる第１、第２または第３の実施形態に関して、第１の無線リソース情報は、第１の放射線ビームＢＭ１−ＢＳ１についてのさらなる表示を含むことができ、また少なくとも第２の無線リソース情報は、第２の放射線ビームＢＭ２−ＢＳ１についての、または第２の放射線ビームＢＭ２−ＢＳ１についての、またさらなる放射線ビームＢＭ３−ＢＳ１、ＢＭ４−ＢＳ１、ＢＭ５−ＢＳ１のうちの少なくとも１つについてのさらなる表示を含むことができる。
【００７９】
移動局ＭＳは、第１の無線リソース情報と、少なくとも第２の無線リソース情報とを使用して、第１の実施形態に関して、移動局ＭＳのレシーバ装置を様々な時分割多重化された基準信号に対して時間において同期させ、もしくは第２の実施形態に関して、移動局ＭＳのレシーバ装置を様々な周波数多重化された基準信号に対して周波数において同期させ、または第１の無線リソース情報と、少なくとも第２の無線リソース情報とを使用して、基準信号の様々な拡散コードに対してレシーバ装置の復号化を適応させる。
【００８０】
さらなるステップＳ２−ＭＳにより、移動局ＭＳは、第１の基準信号を受信し、また少なくとも１つのさらなるステップＳ３−ＭＳを用いて、移動局ＭＳは、少なくとも１つの第２の基準信号を受信する。
【００８１】
ステップＳ４−ＭＳにおいて、移動局ＭＳは、受信された第１の基準信号の分析に基づいて、第１の垂直の放射線ビームＢＭ１−ＢＳ１についての第１の品質情報を決定し、また受信された対応する基準信号に基づいて、少なくとも第２の垂直の放射線ビームＢＭ２−ＢＳ１、．．．、ＢＭ５−ＢＳ１のうちの１つについての少なくとも第２の品質情報を決定することができ、または基準信号が十分な受信電力で受信される可能性がある垂直の放射線ビームＢＭ１−ＢＳ１、．．．、ＢＭ５−ＢＳ１のそれぞれについて品質情報を決定することができる。第１の品質情報と、少なくとも第２の品質情報とは、例えば、受信された第１の基準信号と少なくとも第２の基準信号とについての信号強度値などの受信信号レベル、ＳＩＮＲ値（ＳＩＮＲ＝信号対干渉プラス雑音比（Ｓｉｇｎａｌ  ｔｏ  Ｉｎｔｅｒｆｅｒｅｎｃｅ−ｐｌｕｓ−Ｎｏｉｓｅ  Ｒａｔｉｏ））、またはサポートされた変調および符号化のスキーム（ＭＣＳ：Ｍｏｄｕｌａｔｉｏｎ  ａｎｄ  Ｃｏｄｉｎｇ  Ｓｃｈｅｍｅ）とすることができる。ある種の垂直の放射線ビームについての特定の信号強度値、ＳＩＮＲ値、またはＭＣＳ値は、移動局ＭＳのロケーションにおける垂直の放射線ビームＢＭ１−ＢＳ１、．．．、ＢＭ５−ＢＳ１の特定の干渉レベルに対応している。信号強度値、ＳＩＮＲ値、またはＭＣＳ値が、高くなればなるほど、干渉レベルは、より高くなる。
【００８２】
さらなるステップＳ５−ＭＳにより、移動局ＭＳは、第１の品質情報と、少なくとも第２の品質情報とのうちの少なくとも一方を送信し、また第２の基地局ＢＳ２に対して、さらなる垂直の放射線ビームＢＭ３−ＢＳ１、．．．、ＢＭ５−ＢＳ１についての品質情報を送信することもできる。それゆえに、移動局ＭＳは、例えば、３ＧＰＰ  ３６．３３１無線通信規格によって適用されるような、いわゆるＡ３メッセージなどのハンドオーバ要求メッセージを使用することができる。移動局ＭＳは、様々な変形例において、品質情報を送信することができる。移動局ＭＳは、最大の受信信号レベルなどの最高品質を提供する、第１の垂直の放射線ビームＢＭ１−ＢＳ１と、少なくとも第２の垂直の放射線ビームＢＭ２−ＢＳ１、．．．、ＢＭ５−ＢＳ１とのうちの１つの品質情報だけを送信することが好ましい。第２の基地局ＢＳ２に意思決定におけるより大きな余裕を与えるために、移動局ＭＳは、代わりに、すべての受信された垂直の放射線ビームＢＭ１−ＢＳ１、．．．、ＢＭ５−ＢＳ１のうちの少なくとも２つを有するサブグループについての品質情報を送信することもでき、または受信された垂直の放射線ビームＢＭ１−ＢＳ１、．．．、ＢＭ５−ＢＳ１のうちのすべてについての品質情報を送信することもできる。
【００８３】
ステップＳ６−ＭＳにおいて、移動局ＭＳは、ハンドオーバ・コマンド・メッセージが、第２の基地局ＢＳ２から移動局ＭＳにおいて受信されている可能性があるかどうかを検証する。そのようなハンドオーバ・コマンド・メッセージが、受信されていないときに、本方法ＭＥＴ−ＭＳは、ステップＳ２−ＭＳによって継続される可能性がある。他のハンドオーバ・コマンド・メッセージが、受信されているときに、本方法ＭＥＴ−ＭＳは、ステップＳ７−ＭＳによって継続されることもある。ハンドオーバ・コマンド・メッセージは、例えば、移動局ＭＳが、第２の無線セルＣ２から分離し、また第１の無線セルＣ１の垂直の放射線ビームＢＭ１−ＢＳ１、．．．、ＢＭ５−ＢＳ１のうちの示された１つに対してアタッチすることができるという情報を含むことができる。
【００８４】
さらなるステップＳ７−ＭＳを用いて、移動局ＭＳは、第２の無線セルＣ２から第１の無線セルＣ１の垂直の放射線ビームＢＭ１−ＢＳ１、．．．、ＢＭ５−ＢＳ１のうちの示された１つに対するハンドオーバを実行する。
【００８５】
ステップＳ７−ＭＳの後のさらなるステップは、この場合にもステップＳ１−ＭＳとすることができる。さらなる方法では、次に、第１の基地局ＢＳ１と、第２の基地局ＢＳ２との役割が、交換される。
【００８６】
図３は、無線アクセス・ネットワークＲＡＮにおいて垂直の放射線ビームＢＭ１−ＢＳ１、．．．、ＢＭ５−ＢＳ１の処理または管理のために、サービング基地局の基地局に関連したプロセス・ステップを実行するための、第２の基地局ＢＳ２のための方法ＭＥＴ−ＢＳ２の流れ図を概略的に示すものである。
【００８７】
第１の代替案によれば、第２の基地局ＢＳ２における第１の無線リソース情報と、少なくとも第２の無線リソース情報とについての知識は、第２の基地局がインストールされるときに、第２の基地局ＢＳ２のすべての隣接する基地局の垂直の放射線ビームを経由して基準信号の送信のために第２の基地局ＢＳ２のローカル・データベースの中にあらかじめ構成され、また記憶されることもある。そのような場合には、要求メッセージは、隣接する基地局のうちの１つにおいて垂直の放射線ビームを送信するための構成が、変更されない限り、第２の基地局ＢＳ２と、第１の基地局ＢＳ１など、隣接する基地局との間で交換される必要はない。そのような事前の構成が、第１のステップＳ１−ＢＳ２において適用されない可能性があるときに、第２の基地局ＢＳ２は、第１の基準信号の第１の無線リソース情報と、第２の基準信号の少なくとも第２の無線リソース情報とを要求するためのメッセージを第１の基地局ＢＳ１に対して送信することができ、またさらなる垂直の放射線ビームＢＭ３−ＢＳ１、．．．、ＢＭ５−ＢＳ１のさらなる基準信号とすることもできる。
【００８８】
代わりに、第２の基地局ＢＳ２は、第１の基地局ＢＳ１の垂直の放射線ビームＢＭ１−ＢＳ１、．．．、ＢＭ５−ＢＳ１を経由して送信されている第１の基準信号の第１の無線リソース情報と、少なくとも第２の基準信号の少なくとも第２の無線リソース情報とを要求するためのメッセージを中央データベースＣＤＢに対して送信することができる。
【００８９】
第１の基地局ＢＳ１から、または中央データベースＣＤＢから、第１の無線リソース情報と、少なくとも第２の無線リソース情報とを受信するときに、第２の基地局ＢＳ２は、さらなるステップＳ２−ＢＳ２により、第２の基地局ＢＳ２のローカル・データベースに第１の無線リソース情報と、少なくとも第２の無線リソース情報とを記憶することができる。
【００９０】
さらなるステップＳ３−ＢＳ２においては、移動局ＭＳなどの移動局が、第２の無線セルＣ２の境界に、またセル・オーバーラップ・エリアＣＯＡに到達するときに、第２の基地局ＢＳ２は、それ自体のローカル・データベースから垂直の放射線ビームＢＭ１−ＢＳ１、．．．、ＢＭ５−ＢＳ１を経由して送信されている第１の基準信号の第１の無線リソース情報と、少なくとも第２の基準信号の少なくとも第２の無線リソース情報とについて問い合わせを行うことができ、また移動局ＭＳに対して、第１の無線リソース情報と少なくとも第２の無線リソース情報とを送信する。
【００９１】
次のステップＳ４−ＢＳ２において、第２の基地局ＢＳ２は、第１の品質情報および／または少なくとも第２の品質情報のうちの少なくとも１つを受信し、また移動局ＭＳからさらなる垂直の放射線ビームＢＭ３−ＢＳ１、．．．、ＢＭ５−ＢＳ１についての品質情報を受信することもできる。第１の無線リソース情報と、少なくとも第２の無線リソース情報とが、第１の基地局ＢＳ１からブロードキャスト・メッセージを経由して、移動局ＭＳへと直接に送信されるときに、ステップＳ４−ＢＳ２は、第１のステップとすることができる。破線矢印は、方法ＭＥＴ−ＢＳ２が、ステップＳ１−ＢＳ２、Ｓ２−ＢＳ２、およびＳ３−ＢＳ２を含まない可能性があるときの代替的な一実施形態を示すものである。
【００９２】
さらなるステップＳ５−ＢＳ２により、第２の基地局ＢＳ２は、第１の品質情報と、少なくとも第２の品質情報とのうちの少なくとも一方に基づいて、第２の基地局ＢＳ２による移動局ＭＳのさらなるスケジューリングが、より適しているか、または第１の基地局ＢＳ１の垂直の放射線ビームＢＭ１−ＢＳ１、．．．、ＢＭ５−ＢＳ１のうちの１つに対する移動局ＭＳのハンドオーバまたはセルの再関連付けが、より適しているかを決定する。例えば、垂直の放射線ビームＢＭ１−ＢＳ１．．．ＢＭ２−ＢＳ１のうちの１つが、移動局ＭＳをスケジュールするための第２の基地局ＢＳ２の現在適用されている垂直の放射線ビームＢＭ−ＢＳ２に比べて、移動局ＭＳにおいて、より高い受信信号レベル、より高いＳＩＮＲ、またはより高いサポートされたＭＣＳを有するときに、第２の基地局ＢＳ２は、ハンドオーバまたはセルの再関連付けについて決定する。
【００９３】
そのような場合には、ステップＳ９−ＢＳ２が、次のステップである。さもなければ、方法ＭＥＴ−ＢＳ２は、さらなるステップＳ６−ＢＳ２によって継続される。
【００９４】
ステップＳ６−ＢＳ２により、第２の基地局ＢＳ２は、第１の基地局ＢＳ１によってサービスされている移動局に対してダウンリンク・データを送信するために、第１の基地局ＢＳ１により、第１の放射線ビームＢＭ１−ＢＳ１についての、また少なくとも１つの第２の放射線ビームＢＭ２−ＢＳ１、．．．、ＢＭ５−ＢＳ１についての使用に関する、また好ましくは、さらに、第１の基地局ＢＳ１に対する移動局によるアップリンク・データの送信に関する、情報を獲得するために、要求を第１の基地局ＢＳ１に対して送信することができる。
【００９５】
さらなるステップＳ７−ＢＳ２においては、第２の基地局ＢＳ２は、第１の放射線ビームＢＭ１−ＢＳ１の、また少なくとも１つの第２の放射線ビームＢＭ２−ＢＳ１、．．．、ＢＭ５−ＢＳ１の使用に関する、また好ましくは第１の基地局ＢＳ１から、第１の基地局ＢＳ１に対する移動局によるアップリンク・データの送信に関する、情報を受信することができる。第１の基地局ＢＳ１が、第１の基地局ＢＳ１によってサービスされる移動局をスケジュールするために、垂直の放射線ビームＢＭ１−ＢＳ１、．．．、ＢＭ５−ＢＳ１のうちの１つまたはいくつかを使用しなくなるときに、情報は、垂直の放射線ビームＢＭ１−ＢＳ１、．．．、ＢＭ５−ＢＳ１のうちの例えば、１つまたはいくつかを示すことができ、またさらに、例えば、１０ｍｓや２０ｍｓなど、将来における所定の時間にわたっていくつかのタイム・スロットを含んでいる１つもしくはいくつかのタイム・スロット、またはタイム・フレームを示すことができる。第１の基地局ＢＳ１によってサービスされる移動局が、第１の基地局ＢＳ１に対してアップリンク・データを送信することになるときに、情報は、例えば、１０ｍｓや２０ｍｓなど、将来における所定の時間内における各場合における１つまたはいくつかのさらなるタイム・スロットについてのいくつかのタイム・スロットを含むタイム・フレームの間の、１つまたはいくつかのタイム・スロットについてさらに示すことが好ましい可能性がある。
【００９６】
情報は、第２の基地局ＢＳ２から要求を受信した後に、所定の時間にわたって第１の基地局ＢＳ１から反復して送信されることもある。
【００９７】
次のステップＳ８−ＢＳ２において、そのようなタイム・スロットまたはタイム・フレーム中に、第２の基地局ＢＳ２と、移動局ＭＳとの間の無線送信が、第１の基地局ＢＳ１の垂直の放射線ビームＢＭ１−ＢＳ１、．．．、ＢＭ５−ＢＳ１を経由して、データ送信により、また専用のパイロット（いわゆる復調参照シンボルＤＲＳ）の送信によって生成される干渉によって、あまり影響を受けないので、第２の基地局ＢＳ２は、第１の基地局ＢＳ１によって示されるように、タイム・スロットまたはタイム・フレームのうちの一方において、移動局ＭＳをスケジュールすることができる。ステップＳ８−ＢＳ２の後のさらなるステップは、ステップＳ４−ＢＳ２とすることができる。
【００９８】
代わりに、少なくとも１つのタイム・スロットまたは少なくとも１つのさらなるタイム・スロット中に、アップリンク・データが、第１の基地局ＢＳ１によってサービスされるべき移動局のうちの少なくとも１つから第１の基地局ＢＳ１へと送信されるときに、第２の基地局ＢＳ２は、少なくとも１つのタイム・スロット、または少なくとも１つのさらなるタイム・スロットにおいて、アップリンク・データについての移動局ＭＳのスケジューリングを防止することができる。
【００９９】
ステップＳ９−ＢＳ２において、第２の基地局ＢＳ２は、移動局ＭＳについてのいわゆるターゲット基地局として、第２の基地局ＢＳ２から第１の基地局ＢＳ１へのハンドオーバを要求するためのハンドオーバ要求メッセージを第１の基地局ＢＳ１に対して送信することができる。ステップＳ９−ＢＳ２の後の次のステップは、ステップＳ１０−ＢＳ２またはステップＳ１２−ＢＳ２とすることができる。
【０１００】
ステップＳ１０−ＢＳ２により、第２の基地局ＢＳ２は、第１の基地局ＢＳ１から、ハンドオーバが第１の基地局ＢＳ１によって拒絶されるハンドオーバ拒絶メッセージを受信することができる。そのような場合には、第２の基地局ＢＳ２は、第１の基地局ＢＳ１によって示されるように、タイム・スロットまたはタイム・フレームのうちの一方において移動局ＭＳをスケジュールするさらなるステップＳ１１−ＢＳ２によって継続することができる。
【０１０１】
ステップＳ１２−ＢＳ２によって、第２の基地局ＢＳ２は、そうでなければ、第１の基地局ＢＳ１から、ハンドオーバが第１の基地局ＢＳ１によって受け入れられるハンドオーバ受入メッセージを受信することができる。そのような場合には、第２の基地局ＢＳ２は、さらなるステップＳ１３−ＢＳ２において、移動局ＭＳから受信される品質情報に基づいて、第２の基地局ＢＳ２から第１の基地局ＢＳ１へのハンドオーバの後に第１の基地局ＢＳ１において移動局ＭＳをサービスするための初期のサービング放射線ビームとして、垂直の放射線ビームＢＭ１−ＢＳ１、．．．、ＢＭ５−ＢＳ１のうちの１つを決定する。
【０１０２】
次のステップＳ１４−ＢＳ２において、第２の基地局ＢＳ２は、第１の基地局ＢＳ１に対して、選択された初期のサービング放射線ビームのビーム情報を送信する。ビーム情報は、選択された初期のサービング放射線ビームについての少なくとも１つの識別子を含んでおり、また選択された初期のサービング放射線ビームの品質情報を含むことが好ましい可能性もある。品質情報は、例えば、ハンドオーバが実行される前に、移動局ＭＳから第２の基地局ＢＳ２において受信されるような品質情報とすることができる。これは、品質情報が、例えば、第２の基地局ＢＳ２から第１の基地局ＢＳ１への移動局ＭＳのハンドオーバが実行される前に、好ましくは、移動局ＭＳによって最後に測定され、また第２の基地局ＢＳ２に対して報告されるようなＣＱＩ値または受信信号レベルとすることができることを意味している。
【０１０３】
図４は、無線アクセス・ネットワークＲＡＮにおいて、垂直の放射線ビームＢＭ１−ＢＳ１、．．．、ＢＭ５−ＢＳ１の処理または管理のために、隣接する基地局の基地局に関連したプロセス・ステップを実行するための、第１の基地局ＢＳ１のための方法ＭＥＴ−ＢＳ１の流れ図を概略的に示すものである。
【０１０４】
第１のステップＳ１−ＢＳ１において、第１の基地局ＢＳ１は、第１の垂直の放射線ビームＢＭ１−ＢＳ１を経由した第１の基準信号と、第２の垂直の放射線ビームＢＭ２−ＢＳ１を経由した第２の基準信号と、さらなる垂直の放射線ビームＢＭ３−ＢＳ１、．．．、ＢＭ５−ＢＳ１を経由した対応する基準信号とを送信する。
【０１０５】
さらなるオプションとしてのステップＳ２−ＢＳ１によって、第１の基地局ＢＳ１は、第１の無線リソース情報と、少なくとも第２の無線リソース情報とを要求するためのメッセージを第２の基地局ＢＳ２から受信することができる。
【０１０６】
次のオプションとしてのステップＳ３−ＢＳ１において、第１の基地局ＢＳ１は、第１の無線リソース情報と、少なくとも第２の無線リソース情報とを第２の基地局ＢＳ２に対して送信する。
【０１０７】
ステップＳ２−ＢＳ１およびＳ３−ＢＳ１に関しての代替的な一実施形態によれば、第１の基地局ＢＳ１は、ブロードキャスト・チャネルを経由したブロードキャスト・メッセージにより、第１の無線リソース情報と、少なくとも第２の無線リソース情報とを送信することができる。
【０１０８】
さらなるステップＳ４−ＢＳ１において、第１の基地局ＢＳ１は、第１の基地局ＢＳ１による第１の放射線ビームＢＭ１−ＢＳ１の、また少なくとも１つの第２の放射線ビームＢＭ２−ＢＳ１、．．．、ＢＭ５−ＢＳ１の使用に関する情報を提供するための要求を第２の基地局ＢＳ２から受信する。
【０１０９】
次のステップＳ５−ＢＳ１において、第１の基地局ＢＳ１は、第２の基地局ＢＳ２に対して、第１の放射線ビームＢＭ１−ＢＳ１の、また少なくとも１つの第２の放射線ビームＢＭ２−ＢＳ１、．．．、ＢＭ５−ＢＳ１の使用に関する情報を送信する。
【０１１０】
さらなるステップＳ６−ＢＳ１において、第１の基地局ＢＳ１は、第２の基地局ＢＳ２からハンドオーバ要求メッセージを受信する。
【０１１１】
次のステップＳ７−ＢＳ１により、第１の基地局ＢＳ１は、第２の基地局ＢＳ２から第１の基地局ＢＳ１への移動局ＭＳのハンドオーバが、受け入れられるべきか、または拒絶されるべきかを検証する。第１の基地局ＢＳ１における意思決定は、例えば、第１の基地局ＢＳ１における現在の負荷状況に依存する可能性がある。ハンドオーバが、第１の基地局ＢＳ１によって拒絶されるときに、ステップＳ８ａ−ＢＳ１が、次のステップとすることができる。ハンドオーバが、第１の基地局ＢＳ１によって拒絶されないときには、ステップＳ８ｂ−ＢＳ１が、さらなるステップとすることができる。
【０１１２】
ステップＳ８ａ−ＢＳ１により、第１の基地局ＢＳ１は、ハンドオーバ拒絶メッセージを第２の基地局ＢＳ２に対して送信する。ステップＳ８ａ−ＢＳ１の後の次のステップは、この場合にもステップＳ６−ＢＳ１とすることができる。
【０１１３】
ステップＳ８ｂ−ＢＳ１を使用して、第１の基地局ＢＳ１は、ハンドオーバ受入メッセージを第２の基地局ＢＳ２に対して送信する。
【０１１４】
さらなるステップＳ９−ＢＳ１においては、第１の基地局ＢＳ１は、第２の基地局ＢＳ２によって選択されるような初期のサービング放射線ビームのビーム情報を第２の基地局ＢＳ２から受信する。現在の３ＧＰＰ規格においては、ターゲット基地局は、ハンドオーバの直後に、また第１のＣＱＩ測定値が、ハンドオーバを実行している移動局から受信される前には、チャネル品質とＰＭＩ（ＰＭＩ＝プリコーディング行列表示（Ｐｒｅｃｏｄｉｎｇ  Ｍａｔｒｉｘ  Ｉｎｄｉｃａｔｉｏｎ））とについての何の情報も有しておらず、また何の情報も獲得しない。ビーム情報により、第１の基地局ＢＳ１は、移動局にサービスするための期間の始めに、適切な垂直の放射線ビームを自動的に選択することができるようになる。
【０１１５】
次のステップＳ１０−ＢＳ１においては、第１の基地局ＢＳ１は、第２の基地局ＢＳ２によって選択されるような初期のサービング放射線ビームによるハンドオーバの直後に移動局ＭＳをスケジュールする。
【０１１６】
さらなるステップＳ１１−ＢＳ１により、第１の基地局ＢＳ１は、第２の基地局ＢＳ２によって実行されるステップＳ４−ＢＳ２と類似したやり方で、垂直の放射線ビームＢＭ１−ＢＳ１、．．．、ＢＭ５−ＢＳ１と、垂直の放射線ビームＢＭ−ＢＳ２とのうちの少なくとも１つについてのさらなる品質情報を移動局ＭＳから受信することができる。
【０１１７】
ステップＳ１２−ＢＳ１において、第１の基地局ＢＳ１は、受信されたさらなる品質情報に基づいて、移動局ＭＳにサービスするための初期のサービング放射線ビームとしてよりよい代替案が存在するかどうかを検証する。そのような検証のために、第１の基地局ＢＳ１は、例えば、受信された信号レベルを比較することができる。よりよい代替案が存在しないときに、ステップＳ１２−ＢＳ１の後の次のステップは、この場合にもステップＳ１０−ＢＳ１とすることができる。例えば、初期のサービング放射線ビームよりも大きな受信信号レベルを有するその他の別の垂直の放射線ビームが、存在するときには、ステップＳ１２−ＢＳ１の後の次のステップは、ステップＳ１３−ＢＳ１とすることができる。
【０１１８】
ステップＳ１２−ＢＳ１により、第１の基地局ＢＳ１は、移動局ＭＳのためのビーム切替えを実行することができ、またさらなる垂直の放射線ビームにより、移動局ＭＳをスケジュールすることができる。
【０１１９】
図５は、移動局ＭＳの例示のブロック図を概略的に示すものである。移動局ＭＳは、アンテナ・システムＡＮＴ−ＳＹＳ−ＭＳを経由して第１の基地局ＢＳ１または第２の基地局ＢＳ２に向かってアップリンク無線周波数信号を送信するための、および第１の基地局ＢＳ１または第２の基地局ＢＳ２からダウンリンク無線周波数信号を受信するための、アンテナ・システムＡＮＴ−ＳＹＳ−ＭＳとトランシーバＭＳ−ＴＲＣとを含む。アンテナ・システムＡＮＴ−ＳＹＳ−ＭＳは、例として２つのアンテナ要素を含んでいるが、代わりに、単一のアンテナ要素だけを、または２つよりも多いアンテナ要素を含んでいることもできる。
【０１２０】
トランシーバＴＲＣ−ＭＳは、トランスミッタ部分ＴＲ−ＭＳと、レシーバ部分ＲＣ−ＭＳとを含む。代わりに、移動局ＭＳは、トランシーバＴＲＣ−ＭＳの代わりに、別個のトランスミッタと、別個のレシーバとを含むことができる。
【０１２１】
トランシーバＴＲＣ−ＭＳと、アンテナ・システムＡＮＴ−ＳＹＳ−ＭＳとは、第２の基地局ＢＳ２から、第１の無線リソース情報と少なくとも第２の無線リソース情報とを受信するように、第１の無線リソース情報に基づいて第１の基準信号を受信するように、また少なくとも第２の無線リソース情報に基づいて少なくとも第２の基準信号を受信するように適合されている。トランシーバＴＲＣ−ＭＳと、アンテナ・システムＡＮＴ−ＳＹＳ−ＭＳとは、さらに、第２の基地局ＢＳ２に対して、第１の品質情報と、少なくとも第２の品質情報とのうちの少なくとも一方を送信するように適合されている。
【０１２２】
移動局ＭＳは、方法ＭＥＴ−ＭＳを実行するためのコマンドを含むコンピュータ・プログラムＰＲＯＧ−ＭＳを記憶するためのメモリＭＥＭ−ＭＳをさらに含んでいる。移動局ＭＳは、コンピュータ・プログラムＰＲＯＧ−ＭＳを実行するための処理ユニットＰＵ−ＭＳをさらに含んでいる。処理ユニットＰＵ−ＭＳと、コンピュータ・プログラムＰＲＯＧ−ＭＳとは、例えば、受信された第１の基準信号に基づいた第１の放射線ビームＢＭ１−ＢＳ１についての第１の品質情報と、受信された少なくとも第２の基準信号に基づいた少なくとも１つの第２の放射線ビームＢＭ２−ＢＳ１、．．．、ＢＭ５−ＢＳ１についての少なくとも第２の品質情報とを決定するように適合されている。
【０１２３】
図６は、第２の基地局ＢＳ２の例示のブロック図を概略的に示すものである。第２の基地局ＢＳ２は、アンテナ・システムＡＮＴ−ＳＹＳ−ＢＳ２を経由して移動局ＭＳに向かってダウンリンク無線周波数信号を送信するための、および移動局ＭＳからアップリンク無線周波数信号を受信するための、アンテナ・システムＡＮＴ−ＳＹＳ−ＢＳ２と第１のトランシーバＴＲＣ１−ＢＳ２とを含む。第１のトランシーバＴＲＣ１−ＢＳ２は、トランスミッタ部分ＴＲ１−ＢＳ２とレシーバ部分ＲＣ１−ＢＳ２とを含む。代わりに、第２の基地局ＢＳ２は、トランシーバＴＲＣ１−ＢＳ２の代わりに、別個のトランスミッタと、別個のレシーバとを含むこともできる。
【０１２４】
アンテナ・システムＡＮＴ−ＳＹＳ−ＢＳ２は、例えば、１（垂直）×４（水平）構成の形で例示の４つのアンテナ要素を含む線形アンテナ・アレイとすることができる。地球の表面に関して、水平方向Ｈ−ＤＩＲにおける線形アンテナ・アレイは、第２の無線セルＣ２の中心から第２の無線セルＣ２の境界に向かう異なる半径方向に向かっていくつかの水平の放射線ビームを送信することを可能にしている。代わりに、アンテナ・システムＡＮＴ−ＳＹＳ−ＢＳ１は、１×２構成の形の２つのアンテナ要素など、４つ未満のアンテナ要素、または１×８構成の形の８つのアンテナ要素など、４つよりも多いアンテナ要素を含むことができる。
【０１２５】
第１のトランシーバＴＲＣ１−ＢＳ２と、アンテナ・システムＡＮＴ−ＳＹＳ−ＢＳ２とは、移動局に対して、第１の基地局ＢＳ１によって第１の方向に向かって方向づけられている第１の放射線ビームＢＭ１−ＢＳ１を経由した第１の基準信号の送信のための第１の無線リソース情報と、第１の基地局ＢＳ１によって少なくとも１つの第２の方向に向かって方向づけられている少なくとも１つの第２の放射線ビームＢＭ２−ＢＳ１、．．．、ＢＭ５−ＢＳ１を経由した少なくとも第２の基準信号の送信のための少なくとも第２の無線リソース情報とを送信するように適合されている。第１のトランシーバＴＲＣ１−ＢＳ２と、アンテナ・システムＡＮＴ−ＳＹＳ−ＢＳ２とは、さらに、移動局ＭＳ２から、第１の放射線ビームＢＭ１−ＢＳ１の第１の品質情報と、少なくとも１つの第２の放射線ビームＢＭ２−ＢＳ１、．．．、ＢＭ５−ＢＳ１の少なくとも第２の品質情報とのうちの少なくとも一方を受信するように適合されている。
【０１２６】
第２の基地局ＢＳ２は、第１のケーブル接続ＣＣ１と、その第１のケーブル接続ＣＣ１に接続されている第２のトランシーバＴＲＣ２−ＢＳ２とをさらに含む。第２のトランシーバＴＲＣ２−ＢＳ２は、トランスミッタ部分ＴＲ２−ＢＳ２とレシーバ部分ＲＣ２−ＢＳ２とを含む。代わりに、第２の基地局ＢＳ２は、第２のトランシーバＴＲＣ２−ＢＳ２の代わりに、さらなる別個のトランスミッタと、さらなる別個のレシーバとを含むこともできる。第２のトランシーバＴＲＣ２−ＢＳ２は、第１の基地局ＢＳ１の対応するトランシーバと通信するように適合されていることもある。
【０１２７】
代替的な一実施形態によれば、第１のバックホール接続ＢＨＬ１は、第１の基地局ＢＳ１と、第２の基地局ＢＳ２との間のワイヤレス接続によって実現される可能性がある。
【０１２８】
第２の基地局ＢＳ２は、第２のケーブル接続ＣＣ２と、その第２のケーブル接続ＣＣ２に接続されている第３のトランシーバＴＲＣ３−ＢＳ２とをさらに含む可能性さえある。第３のトランシーバＴＲＣ３−ＢＳ２は、トランスミッタ部分ＴＲ３−ＢＳ２とレシーバ部分ＲＣ３−ＢＳ２とを含む。代わりに、第２の基地局ＢＳ２は、第３のトランシーバＴＲＣ３−ＢＳ２の代わりに、さらにさらなる別個のトランスミッタと、さらにさらなる別個のレシーバとを含むことができる。第３のトランシーバＴＲＣ３−ＢＳ１は、中央データベースＣＤＢと通信するように適合されていることもある。
【０１２９】
第２の基地局ＢＳ２は、方法ＭＥＴ−ＢＳ２を実行するためのコマンドを含むコンピュータ・プログラムＰＲＯＧ−ＢＳ２を記憶するためのメモリＭＥＭ−ＢＳ２をさらに含んでさえいる。メモリＭＥＭ−ＢＳ２は、さらに、ローカル・データベースＬＤＢ−ＢＳ２を記憶するように適合されている可能性もある。ローカル・データベースＬＤＢ−ＢＳ２は、第１の無線リソース情報と、少なくとも第２の無線リソース情報とを記憶することができる。ローカル・データベースＬＤＢ−ＢＳ２は、さらに、これらの垂直の放射線ビームが、移動局をスケジュールするために使用されないときに、第２の基地局ＢＳ２の近傍における基地局の垂直の放射線ビームのタイム・スロットまたはタイム・フレームの情報を記憶することもできる。
【０１３０】
第２の基地局ＢＳ２は、コンピュータ・プログラムＰＲＯＧ−ＢＳ２を実行するための処理ユニットＰＵ−ＢＳ２をさらに含んでいる。処理ユニットＰＵ−ＢＳ２と、コンピュータ・プログラムＰＲＯＧ−ＢＳ２とは、例えば、第１の品質情報と、少なくとも第２の品質情報とのうちの少なくとも一方に基づいて、第２の基地局ＢＳ２による移動局ＭＳのさらなるスケジューリングが、より適しているか、または第１の基地局ＢＳ１に向かっての移動局ＭＳについてのハンドオーバが、より適しているかを決定するように適合されている。
【０１３１】
図７は、第１の基地局ＢＳ１の例示のブロック図を概略的に示すものである。第１の基地局ＢＳ１は、アンテナ・システムＡＮＴ−ＳＹＳ−ＢＳ１を経由して移動局ＭＳに向かってダウンリンク無線周波数信号を送信するための、および移動局ＭＳからアップリンク無線周波数信号を受信するための、アンテナ・システムＡＮＴ−ＳＹＳ−ＢＳ１と、第１のトランシーバＴＲＣ１−ＢＳ１とを含む。第１のトランシーバＴＲＣ１−ＢＳ１は、トランスミッタ部分ＴＲ１−ＢＳ１と、レシーバ部分ＲＣ１−ＢＳ１とを含む。代わりに、第１の基地局ＢＳ１は、第１のトランシーバＴＲＣ１−ＢＳ１の代わりに、別個のトランスミッタと、別個のレシーバとを含むことができる。
【０１３２】
アンテナ・システムＡＮＴ−ＳＹＳ−ＢＳ１は、例えば、４（垂直）×４（水平）構成の形の例示の１６個のアンテナ要素を含む矩形平面アンテナ・アレイとすることができる。地球の表面に関して垂直の方向Ｖ−ＤＩＲにおける第１のアンテナ・スタックは、異なる仰角ＥＬＡ１、ＥＬＡ２（必ずしもすべてが、簡単にするための図１に示される仰角であるとは限らない）を用いて垂直の放射線ビームＢＭ１−ＢＳ１、．．．、ＢＭ５−ＢＳ１を送信することを可能にしている。地球の表面に関して水平方向Ｈ−ＤＩＲにおける第２のアンテナ・スタックは、第１の無線セルＣ１の中心から第１の無線セルＣ１の境界に向かう異なる半径方向に向かっていくつかの水平の放射線ビームを送信することを可能にしている。代わりに、アンテナ・システムＡＮＴ−ＳＹＳ−ＢＳ１は、２×４構成の形の８つのアンテナ要素など、１６個未満のアンテナ要素、または４×８構成の形の３２個のアンテナ要素など、１６個よりも多くのアンテナ要素を含んでいてもよい。
【０１３３】
第１のトランシーバＴＲＣ１−ＢＳ１と、アンテナ・システムＡＮＴ−ＳＹＳ−ＢＳ１とは、第１の方向に向かって方向づけられる第１の放射線ビームＢＭ１−ＢＳ１を経由した第１の基準信号と、少なくとも１つの第２の方向に向かって方向づけられる少なくとも１つの第２の放射線ビームＢＭ２−ＢＳ１、．．．、ＢＭ５−ＢＳ１を経由した少なくとも第２の基準信号とを送信するように適合されている。第１のトランシーバＴＲＣ１−ＢＳ１と、アンテナ・システムＡＮＴ−ＳＹＳ−ＢＳ１とは、さらに、第２の基地局ＢＳ２から第１の基地局ＢＳ１への移動局ＭＳのハンドオーバのために、第１の放射線ビームＢＭ１−ＢＳ１と、少なくとも１つの第２の放射線ビームＢＭ２−ＢＳ１、．．．、ＢＭ５−ＢＳ１とのうちの１つについての品質情報を受信するように適合されている。受信された品質情報は、対応する垂直の放射線ビームが、移動局ＭＳにサービスするための初期のサービング放射線ビームとして第１の基地局ＢＳ１によって適用されるべきであることを示す表示として見なされることもある。
【０１３４】
第１の基地局ＢＳ１は、例えば、ケーブル接続ＣＣと、ケーブル接続ＣＣに接続されている第２のトランシーバＴＲＣ２−ＢＳ１とをさらに含む。第２のトランシーバＴＲＣ２−ＢＳ１は、トランスミッタ部分ＴＲ２−ＢＳ１と、レシーバ部分ＲＣ２−ＢＳ１とを含む。代わりに、第１の基地局ＢＳ１は、第２のトランシーバＴＲＣ２−ＢＳ１の代わりに、さらなる別個のトランスミッタと、さらなる別個のレシーバとを含むことができる。第２のトランシーバＴＲＣ２−ＢＳ１は、第２の基地局ＢＳ２の第２のトランシーバＴＲＣ２−ＢＳ２と通信するように適合されていることもある。
【０１３５】
代替的な一実施形態によれば、第１のバックホール接続ＢＨＬ１は、第１の基地局ＢＳ１と、第２の基地局ＢＳ２との間のワイヤレス接続によって実現されることもある。
【０１３６】
第１の基地局ＢＳ１は、方法ＭＥＴ−ＢＳ１を実行するためのコマンドを含むコンピュータ・プログラムＰＲＯＧ−ＢＳ１を記憶するためのメモリＭＥＭ−ＢＳ１をさらに含んでいることさえもある。メモリＭＥＭ−ＢＳ１は、さらに、ローカル・データベースＬＤＢ−ＢＳ１を記憶するように適合されていることもある。ローカル・データベースＬＤＢ−ＢＳ１は、第１の無線リソース情報と、少なくとも第２の無線リソース情報とを記憶することができる。これらの垂直の放射線ビームが、移動局ＭＳなどの移動局をスケジュールするために使用されないときに、ローカル・データベースＬＤＢ−ＢＳ１は、さらに、第１の基地局ＢＳ１の近傍における基地局の垂直の放射線ビームのタイム・スロットまたはタイム・フレームの情報を記憶することができる。
【０１３７】
第１の基地局ＢＳ１は、コンピュータ・プログラムＰＲＯＧ−ＢＳ１を実行するための処理ユニットＰＵ−ＢＳ１をさらに含んでいる。処理ユニットＰＵ−ＢＳ１と、コンピュータ・プログラムＰＲＯＧ−ＢＳ１と、第１のトランシーバＴＲＣ１−ＢＳ１とは、例えば、第２の基地局ＢＳ２からのハンドオーバ要求が、受け入れられ得るか、または拒絶され得るかを検証し、初期のサービング放射線ビームにより移動局ＭＳをスケジュールするために、第２の基地局ＢＳ２からの推奨またはコマンドとして初期のサービング放射線ビームの品質情報の受信を解釈し、また移動局ＭＳから直接に垂直の放射線ビームのさらなる品質情報を受信した後に、代替的な垂直の放射線ビームが、移動局ＭＳのために適用され得るかどうかを検証するように、適合されている。
【０１３８】
説明および図面は、単に本発明の原理を示しているにすぎない。したがって、当業者なら、本明細書において明示的に説明されても、または示されてもいないけれど、本発明の原理を実施し、また本発明の精神および範囲の内部に含まれる様々な構成を考案することができるようになることが理解されるであろう。さらに、本明細書において列挙されるすべての例は、主として、本発明者（単数または複数）が当技術を推進することに寄与している本発明の原理、および概念を理解するに際して、読者を支援する教育上の目的のためにすぎないように明示的に意図され、またそのような具体的に列挙された例および状態だけに限定することのないように解釈されるべきである。さらに、本発明の原理、態様および実施形態を列挙している本明細書におけるすべての記述、ならびにその特定の例は、その同等物を包含することを意図している。
【０１３９】
「ある種の機能を実行するための手段」として示される機能ブロックは、それぞれある種の機能を実行するように適合されている回路を備えている機能ブロックとして理解されるべきである。それゆえに、「何かのための手段」は、同様に、「何かのために適合され、または適している手段」として理解されることもある。ある種の機能を実行するように適合されている手段は、それゆえに、そのような手段が、必ずしも前記機能を（与えられた瞬間に）実行していることを意味しているとは限らない。
【０１４０】
任意の機能ブロックを含めて、図面の中に示される様々な要素の機能は、例えば、プロセッサのような専用のハードウェア、ならびに適切なソフトウェアに関連して、ソフトウェアを実行することができるハードウェアの使用を通して提供されることもある。プロセッサによって提供されるときに、それらの機能は、単一の専用のプロセッサによって、単一の共用のプロセッサによって、またはそれらのうちのいくつかが共用され得る複数の個別のプロセッサによって提供されてもよい。さらに、「プロセッサ」または「制御装置」という用語の明示的な使用は、ソフトウェアを実行することができるハードウェアだけを排他的に意味するように解釈されるべきではなく、また限定することなく、ＤＳＰハードウェアと、ネットワーク・プロセッサと、ＡＳＩＣと、ＦＰＧＡと、ソフトウェアを記憶するためのリード・オンリー・メモリ（ＲＯＭ：ｒｅａｄ  ｏｎｌｙ  ｍｅｍｏｒｙ）と、ランダム・アクセス・メモリ（ＲＡＭ：ｒａｎｄｏｍ  ａｃｃｅｓｓ  ｍｅｍｏｒｙ）と、不揮発性ストレージとを暗黙のうちに含むことができる。他のハードウェアが、従来品および／またはカスタム品もまた、含められる可能性がある。
【０１４１】
本明細書における任意のブロック図は、本発明の原理を実施する実例となる回路の概念図を表すことが、当業者によって理解されるべきである。同様に、任意のフロー・チャートと、流れ図と、状態遷移図と、擬似コードなどとは、コンピュータ読み取り可能媒体の形で実質的に表され、またそのようにしてコンピュータまたはプロセッサによって、そのようなコンピュータまたはプロセッサが明示的に示されているか否かにかかわらず、実行され得る様々なプロセスを表すことが、理解されるであろう。
【０１４２】
さらに、添付の特許請求の範囲は、これによって詳細な説明の中に組み込まれ、ここで、各請求項は、別個の実施形態としてそれ自体に基づいたものとすることができる。各請求項は、別個の実施形態としてそれ自体に基づいたものとすることができるが、従属請求項は、それらの請求項において、１つまたは複数の他の請求項との特定の組合せについて言及することができるが、他の実施形態は、それぞれの他の従属請求項の主題とのその従属請求項の組合せを含むこともできることに注意すべきである。そのような組合せは、特定の組合せが意図されていないことが、述べられていない限り、本明細書において提案される。さらに、たとえこの請求項が、独立請求項に直接に従属させられていないとしても、任意の他の独立請求項に対する請求項の特徴もまた含むことが意図されている。
【０１４３】
明細書の中に、または特許請求の範囲の中に開示される本方法ＭＥＴ−ＭＳ、ＭＥＴ−ＢＳ１、ＭＥＴ−ＢＳ２は、これらの方法のそれぞれのステップのうちのそれぞれを実行するための手段を有するデバイスによって実施され得ることに、さらに注意すべきである。コンピュータ・プログラム製品が、ＤＳＰ、ＡＳＩＣ、またはＦＰＧＡなどのプログラマブル・ハードウェア・デバイスの上で実行されるときに、コンピュータ・プログラム製品は、方法ＭＥＴ−ＭＳ、ＭＥＴ−ＢＳ１、ＭＥＴ−ＢＳ２を実行するためのコンピュータ実行可能な命令を含むことができることが好ましい。デジタル・データ・ストレージ・デバイスは、方法ＭＥＴ−ＭＳ、ＭＥＴ−ＢＳ１、ＭＥＴ−ＢＳ２のうちの１つを実行するように命令のマシン実行可能なプログラムを符号化することができることが、好ましい。
【０１４４】
さらに、明細書または特許請求の範囲の中に開示される複数のステップまたは機能の開示は、特定の順序の内部にあるように解釈されなくてもよいことを理解すべきである。それゆえに、複数のステップまたは機能の開示は、そのようなステップまたは機能が、技術的な理由のために交換可能でないことがない限り、これらを特定の順序だけに限定することはないであろう。さらに、いくつかの実施形態においては、単一のステップは、複数のサブステップを含むことができ、または複数のサブステップへと分解されることもある。そのようなサブステップは、明示的に除外されない限り、含まれることもあり、またこの単一のステップの開示の一部分とすることもできる。
【図１】
2017511067.tif 000003
【図２】
2017511067.tif 000004
【図３】
2017511067.tif 000005
【図４】
2017511067.tif 000006
【図５】
2017511067.tif 000007
【図６】
2017511067.tif 000008
【図７】
2017511067.tif 000009
【国際調査報告】
2017511067.tif 000010
2017511067.tif 000011
2017511067.tif 000012